(57)【要約】【課題】対象信号に対する干渉状態を適切に提示できること。【解決手段】電波干渉解析装置１００は、受信点Ｐにおける評価対象Ｒの無線機の対象信号ｒに対する複数の干渉源Ｘ１〜Ｘ３の干渉信号ｘ１〜ｘ３の干渉状態を解析する。電波干渉解析装置１００は、対象信号ｒが一つの干渉信号ｘに衝突し、受信点Ｐで対象信号ｒが受信失敗する確率ＰＥＲｉと、複数の干渉源Ｘ１〜Ｘ３の干渉信号ｘ１〜ｘ３のいずれかによって受信点Ｐで対象信号ｒが受信失敗する確率ＰＥＲと、をそれぞれ算出し出力する制御部を有する。【選択図】図１
2019012916.tif 000002
【特許請求の範囲】
【請求項１】
受信点における評価対象の無線機の対象信号に対する複数の干渉源の干渉信号の干渉状態を解析する電波干渉解析装置であって、
前記対象信号が一つの前記干渉信号に衝突し、前記受信点で対象信号が受信失敗する確率と、複数の前記干渉源の前記干渉信号のいずれかによって前記受信点で前記対象信号が受信失敗する確率と、をそれぞれ算出し出力する制御部、
を備えたことを特徴とする電波干渉解析装置。
【請求項２】
前記制御部は、
前記対象信号が一つの前記干渉信号に衝突し、前記受信点で対象信号が受信失敗する確率を、前記干渉源と前記評価対象が時間的に重複する確率と、前記時間的に重複したときに前記対象信号が受信失敗する確率と、に基づき算出することを特徴とする請求項１に記載の電波干渉解析装置。
【請求項３】
前記制御部は、
前記干渉源と前記評価対象が時間的に重複する確率を、前記干渉源と前記評価対象それぞれの無線規格、パケット長、送信間隔に基づき算出することを特徴とする請求項２に記載の電波干渉解析装置。
【請求項４】
前記制御部は、
前記時間的に重複したときに前記対象信号が受信失敗する確率を、前記対象信号と前記干渉信号の電波強度の比に基づくＳＩＮＲ（Ｓｉｇｎａｌ−ｔｏ−Ｉｎｔｅｒｆｅｒｅｎｃｅ−ｐｌｕｓ−Ｎｏｉｓｅ  Ｒａｔｉｏ）を算出し、当該ＳＩＮＲと前記対象信号の無線方式からＢＥＲ（Ｂｉｔ  Ｅｒｒｏｒ  Ｒａｔｅ）を算出し、当該ＢＥＲに基づき、１パケットのビット数のうち衝突する衝突ビット数を算出する、ことで求めることを特徴とする請求項２に記載の電波干渉解析装置。
【請求項５】
前記制御部は、
複数の前記干渉源のうち一つを前記評価対象とする設定時、当該評価対象以外を干渉源として識別し、
前記評価対象の前記対象信号に対する前記干渉源の干渉信号による干渉状態を解析することを特徴とする請求項１〜４のいずれか一つに記載の電波干渉解析装置。
【請求項６】
前記受信点において所定の観測時間、前記対象信号と前記干渉信号をそれぞれ受信し、前記制御部に出力する無線部を備えたことを特徴とする請求項１〜５のいずれか一つに記載の電波干渉解析装置。
【請求項７】
前記制御部は、
前記干渉信号の無線規格、信号強度、周波数帯域に基づき、前記干渉信号別の干渉源を推定することを特徴とする請求項１〜６のいずれか一つに記載の電波干渉解析装置。
【請求項８】
前記制御部は、
前記評価対象を導入箇所に設置しない状態で、前記評価対象の前記対象信号の無線規格、電波強度、周波数帯域、パケット長の情報の入力に基づき、前記対象信号が一つの前記干渉信号に衝突し、前記受信点で対象信号が受信失敗する確率と、複数の前記干渉源の前記干渉信号のいずれかによって前記受信点で前記対象信号が受信失敗する確率とをそれぞれ算出することを特徴とする請求項１〜７のいずれか一つに記載の電波干渉解析装置。
【請求項９】
さらに、電波伝搬シミュレーション部を含み、
前記電波伝搬シミュレーション部は、
前記評価対象および前記干渉源を導入箇所に設置しない状態で、導入箇所のレイアウト、前記評価対象および前記干渉源の無線規格の情報に基づき、前記受信点における前記対象信号および前記干渉信号の電波強度をそれぞれシミュレーション出力し、
前記制御部は、
前記電波伝搬シミュレーション部の出力に基づき、前記対象信号が一つの前記干渉信号に衝突し、前記受信点で対象信号が受信失敗する確率と、複数の前記干渉源の前記干渉信号のいずれかによって前記受信点で前記対象信号が受信失敗する確率とをそれぞれ算出することを特徴とする請求項１〜８のいずれか一つに記載の電波干渉解析装置。
【請求項１０】
前記制御部は、
複数の前記干渉源の前記干渉信号のいずれかによって前記受信点で前記対象信号が受信失敗する確率を、前記対象信号の周波数、あるいは電力を変更してそれぞれ算出することを特徴とする請求項１〜９のいずれか一つに記載の電波干渉解析装置。
【請求項１１】
前記制御部は、
前記評価対象と前記干渉源のそれぞれについて、信号受信が失敗する確率を算出し、前記評価対象と前記干渉源に対して要求する性能および所定の条件を用いた最適化アルゴリズムに基づく演算を行い、前記要求に適合した解を出力することを特徴とする請求項１〜１０のいずれか一つに記載の電波干渉解析装置。
【請求項１２】
前記制御部は、
前記対象信号が一つの前記干渉信号に衝突し、前記受信点で対象信号が受信失敗する確率を、複数の干渉源についてそれぞれ算出し、前記確率が最も大きい前記干渉源を特定することを特徴とする請求項１〜１１のいずれか一つに記載の電波干渉解析装置。
【請求項１３】
さらに、ＧＵＩ（Ｇｒａｐｈｉｃａｌ  Ｕｓｅｒ  Ｉｎｔｅｒｆａｃｅ）出力部を含み、
前記ＧＵＩ出力部は、前記制御部の算出結果を表示することを特徴とする請求項１〜１２のいずれか一つに記載の電波干渉解析装置。
【請求項１４】
前記ＧＵＩ出力部は、
前記干渉信号の無線規格、周波数、電波強度、占有率と、前記対象信号の無線規格、周波数、電波強度に関する情報を表示出力することを特徴とする請求項１３に記載の電波干渉解析装置。
【請求項１５】
さらに、ＧＵＩ入力部を含み、
前記ＧＵＩ出力部の表示画面に基づくユーザ操作による前記対象信号の前記表示枠の移動時、当該移動量に対応する前記対象信号の周波数と電波強度の値を変更し、
前記制御部に対し、前記干渉状態の解析処理を再度実行させることを特徴とする請求項１３または１４に記載の電波干渉解析装置。
【請求項１６】
受信点における評価対象の無線機の対象信号に対する複数の干渉源の干渉信号の干渉状態を解析する電波干渉解析方法であって、
前記対象信号が一つの前記干渉信号に衝突し、前記受信点で対象信号が受信失敗する確率と、複数の前記干渉源の前記干渉信号のいずれかによって前記受信点で前記対象信号が受信失敗する確率とをそれぞれ算出し出力する、
処理をコンピュータが実行することを特徴とする電波干渉解析方法。
【請求項１７】
受信点における評価対象の無線機の対象信号に対する複数の干渉源の干渉信号の干渉状態を解析する電波干渉解析プログラムであって、
前記対象信号が一つの前記干渉信号に衝突し、前記受信点で対象信号が受信失敗する確率と、複数の前記干渉源の前記干渉信号のいずれかによって前記受信点で前記対象信号が受信失敗する確率とをそれぞれ算出し出力する、
処理をコンピュータに実行させることを特徴とする電波干渉解析プログラム。
【発明の詳細な説明】
【技術分野】
【０００１】
本発明は、評価対象の対象信号が受ける電波干渉を解析する電波干渉解析装置、電波干渉解析方法および電波干渉解析プログラムに関する。
【背景技術】
【０００２】
無線通信周波数の所定の帯域（例えば２．４ＧＨｚ帯）は、無線ＬＡＮ、Ｗｉ−Ｆｉ（登録商標）、Ｂｌｕｅｔｏｏｔｈ（登録商標）、Ｚｉｇｂｅｅ（登録商標）等の各種無線規格に使用され、干渉の発生により無線通信が不安定となり受信性能の劣化が生じる。
【０００３】
例えば、各種無線規格が混在するエリアに新たに無線機器を導入設置する場合、設置箇所での干渉状態をパケット誤り率（ＰＥＲ：Ｐａｃｋｅｔ  Ｅｒｒｏｒ  Ｒａｔｅ）の推定により求める方法が開示されている。例えば、受信信号のＳＩＮＲ（Ｓｉｇｎａｌ−ｔｏ−Ｉｎｔｅｒｆｅｒｅｎｃｅ−ｐｌｕｓ−Ｎｏｉｓｅ  Ｒａｔｉｏ）、電力レベル、パケット信号情報等に基づき、ＰＥＲを推定する技術が開示されている（例えば、下記特許文献１参照。）。また、重複するエリアの端末が送信する希望波送信成功率と、隠れ端末によるパケット誤り率に基づきＰＥＲを推定する技術が開示されている（例えば、下記特許文献２参照。）。
【先行技術文献】
【特許文献】
【０００４】
【特許文献１】特開２００４−３２４６７号公報
【特許文献２】特開２０１０−１０３８１５号公報
【発明の概要】
【発明が解決しようとする課題】
【０００５】
しかしながら、従来技術では、ＰＥＲ推定に基づく干渉対策では不十分であった。例えば、同一のＳＩＮＲであっても干渉となる信号を送信する端末（干渉源）の占有率によってＰＥＲは異なる。また、複数の干渉源がある場合に、各干渉源の影響を考慮していない。具体的には、干渉となる信号を送信する端末（干渉源）の情報を把握しておらず、また、干渉源の制御を行ってはいない。このため、従来、干渉対策を行った後においても、所望波に対してどの干渉源がＰＥＲの劣化に影響を与えているか不明であり、例えば、新たな無線機器の設置箇所での干渉を効果的に回避できない。
【０００６】
さらに、従来技術では、所望波に対する干渉波の影響度を表示等で効果的に通知することができなかった。例えば、周波数−受信信号強度（ＲＳＳＩ：Ｒｅｃｅｉｖｅｄ  Ｓｉｇｎａｌ  Ｓｔｒｅｎｇｔｈ  Ｉｎｄｉｃａｔｉｏｎ）を表示する技術では、干渉波の所望波への影響度や影響の仕方が不明であり、具体的な干渉の回避策は提示されていない。
【０００７】
一つの側面では、本発明は、対象信号に対する干渉状態を適切に提示できることを目的とする。
【課題を解決するための手段】
【０００８】
一つの案では、電波干渉解析装置は、受信点における評価対象の無線機の対象信号に対する複数の干渉源の干渉信号の干渉状態を解析する電波干渉解析装置であって、前記対象信号が一つの前記干渉信号に衝突し、前記受信点で対象信号が受信失敗する確率と、複数の前記干渉源の前記干渉信号のいずれかによって前記受信点で前記対象信号が受信失敗する確率と、をそれぞれ算出し出力する制御部、を備えたことを要件とする。
【発明の効果】
【０００９】
一つの実施形態によれば、対象信号に対する干渉状態を適切に提示できるという効果を奏する。
【図面の簡単な説明】
【００１０】
【図１】図１は、実施の形態１にかかる電波干渉解析装置による干渉対策を説明する図である。
【図２】図２は、実施の形態１にかかる電波干渉解析装置の機能を示すブロック図である。
【図３】図３は、実施の形態１にかかる電波干渉解析装置のハードウェア構成例を示す図である。
【図４】図４は、実施の形態１にかかる電波干渉解析装置が保持する情報の一例を示す図表である。
【図５】図５は、実施の形態１にかかる電波干渉解析装置による衝突率の算出を説明する図である。
【図６】図６は、実施の形態１にかかる電波干渉解析装置によるＰＥＲの算出を説明する図である。
【図７】図７は、実施の形態１にかかる電波干渉解析装置によるＰＥＲの算出を説明する図である。
【図８】図８は、実施の形態１にかかる電波干渉解析装置が行う干渉対策の処理例を示すフローチャートである。
【図９】図９は、実施の形態２にかかる電波干渉解析装置の機能を示すブロック図である。
【図１０】図１０は、電波干渉解析装置のパケット検出部によるパケット検出を説明する図である。
【図１１】図１１は、電波干渉解析装置の送信源解析部によるパケットの送信源特定を説明する図である。
【図１２Ａ】図１２Ａは、実施の形態２にかかる電波干渉解析装置が保持する情報の一例を示す図表である。（その１）
【図１２Ｂ】図１２Ｂは、実施の形態２にかかる電波干渉解析装置が保持する情報の一例を示す図表である。（その２）
【図１３】図１３は、実施の形態２にかかる電波干渉解析装置による干渉対策の処理例を示すフローチャートである。
【図１４】図１４は、実施の形態３にかかる電波干渉解析装置の機能を示すブロック図である。
【図１５】図１５は、実施の形態３にかかる電波干渉解析装置が行う電波伝搬シミュレーションを説明する図である。
【図１６】図１６は、実施の形態３にかかる電波干渉解析装置による干渉対策の処理例を示すフローチャートである。
【図１７】図１７は、実施の形態４にかかる電波干渉解析装置による運用チャネルの決定の処理例を示すフローチャートである。
【図１８】図１８は、実施の形態４にかかる電波干渉解析装置による運用チャネルの探索を説明する図表である。
【図１９】図１９は、実施の形態５にかかる電波干渉解析装置による無線システムの最適化処理の例を示すフローチャートである。
【図２０】図２０は、各実施の形態にかかる電波干渉解析装置が算出した干渉波の占有率に応じたＰＥＲを示す図表である。
【図２１】図２１は、実施の形態７にかかる電波干渉解析装置の機能を示すブロック図である。
【図２２】図２２は、実施の形態７にかかる電波干渉解析装置による干渉状態の表示例を示す図である。
【図２３】図２３は、実施の形態７にかかる電波干渉解析装置が行う干渉対策の処理例を示すフローチャートである。
【図２４】図２４は、実施の形態７にかかる電波干渉解析装置の表示に基づく干渉対策を説明する図である。
【図２５】図２５は、実施の形態７にかかる電波干渉解析装置の表示に基づく干渉対策後の表示例を示す図である。
【図２６】図２６は、実施の形態８にかかる電波干渉解析装置による無線システム別の干渉状態の表示例を示す図である。
【図２７】図２７は、実施の形態８にかかる電波干渉解析装置の表示に基づく干渉対策を説明する図である。
【図２８】図２８は、実施の形態８にかかる電波干渉解析装置の表示に基づく干渉対策後の表示例を示す図である。
【図２９Ａ】図２９Ａは、実施の形態８にかかる電波干渉解析装置が行う干渉対策の処理例を示すフローチャートである。（その１）
【図２９Ｂ】図２９Ｂは、実施の形態８にかかる電波干渉解析装置が行う干渉対策の処理例を示すフローチャートである。（その２）
【図３０】図３０は、実施の形態９にかかる電波干渉解析装置のＧＵＩ表示上での操作入力を説明する図である。
【図３１】図３１は、実施の形態９にかかる電波干渉解析装置が行うＧＵＩ入力による干渉対策の処理例を示すフローチャートである。
【図３２】図３２は、実施の形態９にかかる電波干渉解析装置が保持する情報の更新例を示す図表である。
【図３３Ａ】図３３Ａは、実施の形態１０にかかる電波干渉解析装置が行うＧＵＩ入力による干渉対策の処理例を示すフローチャートである。（その１）
【図３３Ｂ】図３３Ｂは、実施の形態１０にかかる電波干渉解析装置が行うＧＵＩ入力による干渉対策の処理例を示すフローチャートである。（その２）
【発明を実施するための形態】
【００１１】
（実施の形態１）
図１は、実施の形態１にかかる電波干渉解析装置による干渉対策を説明する図である。電波干渉解析装置１００は、評価対象Ｒとしての無線装置を実際に設置した状態で、所定の受信点Ｐに設置する。受信点Ｐは、例えば、評価対象Ｒの対象信号ｒと、対象信号ｒ以外の干渉源Ｘの干渉信号ｘを受信する箇所である。電波干渉解析装置１００は、評価対象Ｒの対象信号ｒが他の干渉源Ｘの干渉信号ｘから受ける干渉状態を判断し、評価対象Ｒが受ける干渉を軽減するための効果的な対策を具体的に提示する。
【００１２】
そして、電波干渉解析装置１００は、評価対象Ｒから送信される対象信号（所望波）ｒに対する複数の干渉源Ｘ（Ｘ１，Ｘ２，Ｘ３，…）の干渉信号（干渉波）ｘ（ｘ１，ｘ２，ｘ３，…）による干渉状態を判断する。そして、各干渉源Ｘの干渉波ｘによる対象信号ｒのＰＥＲをそれぞれ求め、干渉の状態をユーザに提示する。例えば、対象信号ｒに干渉の影響が高い干渉信号（干渉波）ｘの干渉源Ｘを特定してユーザに提示する。
【００１３】
電波干渉解析装置１００は、例えば、受信点Ｐに設置可能な可搬型のノートＰＣ等の端末装置１０１と、この受信点Ｐでの通信状態を端末装置１０１に出力する無線部（ソフトウェア無線機）１０２と、を含む。無線部１０２は、対象信号ｒと、干渉信号ｘを受信し、これら各情報を端末装置１０１に出力する。
【００１４】
実施の形態１の電波干渉解析装置１００（端末装置１０１）は、各干渉源Ｘの干渉信号ｘによる対象信号ｒのＰＥＲの内訳を解析し、干渉源Ｘごとに対象信号ｒが受信失敗する確率を求める。ＰＥＲは、下記１．および２．に基づき算出する。
【００１５】
１．対象信号ｒのパケットが干渉源Ｘｉの干渉信号ｘのパケットに衝突し、受信失敗する確率ＰＥＲｉを下記式（１）により求める。
ＰＥＲｉ＝衝突率Ｒｉ×衝突時ＥＲｉ（ｉ＝１〜干渉源数）  …（１）
衝突率Ｒｉは、干渉源ｉの干渉信号ｘのパケットと、対象信号ｒのパケットが時間的に重複する確率であり、干渉源ｉと対象信号ｒのＭＡＣ方式を考慮し、それぞれのパケット長、送信間隔を用いて算出する。
【００１６】
ＭＡＣ方式として、ＦＤＭＡやＴＤＭＡのように、時間と周波数帯域のチャネルをマッピングするｃｏｎｔｅｎｔｉｏｎ−ｆｒｅｅ方式がある。また、複数のユーザが共有し、競合発生を解決するＣＳＭＡ／ＣＡのような競合方式（キャリアセンス方式）がある。ＦＤＭＡはＦｒｅｑｕｅｎｃｙ  Ｄｉｖｉｓｉｏｎ  Ｍｕｌｔｉｐｌｅ  Ａｃｃｅｓｓ、ＴＤＭＡはＴｉｍｅ  Ｄｉｖｉｓｉｏｎ  Ｍｕｌｔｉｐｌｅ  Ａｃｃｅｓｓの略である。ＣＳＭＡ／ＣＡはＣａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅの略である。
【００１７】
衝突時ＥＲｉは、干渉源ｉの干渉信号ｘのパケットと、対象信号ｒのパケットが時間的に重複したときに、対象信号ｒが受信失敗する確率であり、ＳＩＮＲから算出する。
【００１８】
２．複数ｎの干渉源Ｘ（Ｘ１，Ｘ２，Ｘ３，…Ｘｎ）すべての影響を考慮したＰＥＲを求める。
いずれかの干渉源Ｘからの干渉信号ｘのパケットに衝突し、対象信号ｒのパケットが受信失敗する確率ＰＥＲを下記式（２）により求める。
ＰＥＲ＝１−（１−ＰＥＲ１）（１−ＰＥＲ２）（１−ＰＥＲ３）…（１−ＰＥＲｎ）  …（２）
【００１９】
上記により、電波干渉解析装置１００は、例えば、図１に示した各干渉源Ｘの干渉によるＰＥＲをそれぞれ求める。この際、各干渉源Ｘ（Ｘ１，Ｘ２，Ｘ３）が送信する干渉信号ｘ（送信パケット）により対象信号ｒが受信失敗する確率（ＰＥＲ1，ＰＥＲ2，ＰＥＲ3）をそれぞれ求める。
【００２０】
そして、電波干渉解析装置１００は、複数の干渉源Ｘ１〜Ｘ３がある場合、効率的に干渉を軽減できる具体的な方法を提示する。提示の一例としては、図１の例の場合、干渉源Ｘ３の干渉によるＰＥＲ（ＰＥＲ3）が３％と最も高い。この場合、電波干渉解析装置１００は、干渉源Ｘ３が原因となって対象信号ｒが潰れる（受信失敗する）確率が最も高いため、干渉源Ｘ３による干渉が最も影響度が高いことをユーザに提示する。そしてユーザは、干渉源Ｘ３を取り除くことが干渉対策として最も効果的であることを把握できるようになる。
【００２１】
図２は、実施の形態１にかかる電波干渉解析装置の機能を示すブロック図である。電波干渉解析装置１００のＰＥＲ算出にかかる機能を示している。電波干渉解析装置１００は、無線電波可視化部２０１、信号情報保存部２０２、送信源解析部２０３、パケット長・送信間隔演算部２０４を含む。さらに、衝突率Ｒｉ演算方法記憶部２０５、衝突率Ｒｉ演算部２０６、衝突時ＥＲｉ演算方法記憶部２０７、衝突時ＥＲｉ演算部２０８、ＰＥＲ演算部２０９を含む。信号情報保存部２０２は、導入システム情報保存部２１１、干渉波情報保存部２１２を含む。
【００２２】
図２の無線電波可視化部２０１は、図１の無線部（ソフトウェア無線機）１０２に相当し、図２の無線電波可視化部２０１以外の機能は、図１の端末装置１０１が有する機能に相当する。
【００２３】
無線電波可視化部２０１は、受信点Ｐでの対象信号ｒと、干渉信号ｘの通信状態を所定の観測時間の間、アンテナＡＮＴを介した実際の無線電波測定（電測）により取得する。
【００２４】
信号情報保存部２０２は、無線電波可視化部２０１が電測で取得した情報を保存する。また、送信源解析部２０３とパケット長・送信間隔演算部２０４が求めた評価対象Ｒと干渉源Ｘに関する情報（パラメータ）を保存する。
【００２５】
信号情報保存部２０２の導入システム情報保存部２１１は、無線電波可視化部２０１が取得した評価対象Ｒの対象信号ｒに関する情報を保存する。干渉波情報保存部２１２は、無線電波可視化部２０１が取得した干渉源Ｘの干渉信号ｘに関する情報を保存する。
【００２６】
送信源解析部２０３は、対象信号ｒと干渉信号ｘそれぞれの送信源を解析する。この際、対象信号ｒの情報に基づき評価対象Ｒを特定し、干渉信号ｘの情報に基づき各干渉源Ｘを特定する。例えば、検出したパケットの規格、ＲＳＳＩ、周波数帯域、受信時刻、パケット長等の情報に基づき、対象信号ｒの評価対象Ｒと、干渉信号ｘの干渉源Ｘとを識別してそれぞれ特定する。
【００２７】
そして、送信源解析部２０３は、信号情報保存部２０２の導入システム情報保存部２１１に対し、評価対象Ｒの各種情報（パラメータ）を関連付けして保存させる。また、干渉波情報保存部２１２に対し、干渉源Ｘの各種情報（パラメータ）を関連付けして保存させる。
【００２８】
パケット長・送信間隔演算部２０４は、信号情報保存部２０２に保存された対象信号ｒと干渉信号ｘの情報に基づき、これら対象信号ｒと干渉信号ｘそれぞれのパケット長と、送信間隔を算出する。この際、対象信号ｒと干渉信号ｘは、長さが同じパケットを周期的に送信するものとし、観測時間あたりのパケット長および送信間隔のそれぞれの平均値を算出する。算出したパケット長および送信間隔は、信号情報保存部２０２の導入システム情報保存部２１１に対象信号ｒのパラメータとして保存する。また、信号情報保存部２０２の干渉波情報保存部２１２に干渉信号ｘのパラメータとして保存する。
【００２９】
衝突率Ｒｉ演算方法記憶部２０５は、対象信号ｒに対して干渉信号ｘが衝突する衝突率Ｒｉを演算するための演算アルゴリズムを記憶する。演算アルゴリズムは、信号情報保存部２０２の導入システム情報保存部２１１および干渉波情報保存部２１２に保存された対象信号ｒと干渉信号ｘの各パラメータ（ＭＡＣ方式、パケット長、送信間隔等）を参照して衝突率Ｒｉの演算を実行する。
【００３０】
衝突率Ｒｉ演算部２０６は、対象信号ｒに対して干渉信号ｘが衝突する衝突率Ｒｉを演算により求める。例えば、衝突率Ｒｉ演算方法記憶部２０５の演算アルゴリズムに基づき、干渉波情報保存部２１２に保存された対象信号ｒと干渉信号ｘの各パラメータ（ＭＡＣ方式、パケット長、送信間隔等）を参照し衝突率Ｒｉを演算する。
【００３１】
衝突時ＥＲｉ演算方法記憶部２０７は、対象信号ｒのパケットが干渉信号ｘのパケットに時間的に重複したとき対象信号ｒが受信失敗する確率（衝突時ＥＲｉ）を演算するための演算アルゴリズムを記憶する。演算アルゴリズムは、信号情報保存部２０２の導入システム情報保存部２１１および干渉波情報保存部２１２に保存された対象信号ｒと干渉信号ｘのパラメータ（電波強度、変調方式、検波方式、１パケットのビット長等）を参照して衝突時ＥＲｉの演算を実行する。
【００３２】
衝突時ＥＲｉ演算部２０８は、対象信号ｒのパケットが干渉信号ｘのパケットに時間的に重複したとき対象信号ｒが受信失敗する確率（衝突時ＥＲｉ）を演算により求める。例えば、衝突時ＥＲｉ演算方法記憶部２０７の演算アルゴリズムに基づき、干渉波情報保存部２１２に保存された対象信号ｒと干渉信号ｘの各パラメータ（電波強度、変調方式、検波方式、１パケットのビット長等）を参照して、衝突時ＥＲｉを演算する。
【００３３】
ＰＥＲ演算部２０９は、衝突率Ｒｉ演算部２０６が求めた衝突率Ｒｉと、衝突時ＥＲｉ演算部２０８が求めた衝突時ＥＲｉに基づき、対象信号ｒのＰＥＲを演算により求める。このＰＥＲ演算においては、対象信号ｒに対して各干渉源Ｘｉの干渉によるＰＥＲｉをそれぞれ求める。この後、ＰＥＲｉを用いて全ての干渉源Ｘｉにより影響を受けたときのＰＥＲを求める。求めたＰＥＲは、後述する所定のＧＵＩ（Ｇｒａｐｈｉｃａｌ  Ｕｓｅｒ  Ｉｎｔｅｒｆａｃｅ）処理が施されてユーザに提示される。
【００３４】
図３は、実施の形態１にかかる電波干渉解析装置のハードウェア構成例を示す図である。電波干渉解析装置１００は、例えば、ＣＰＵ３０１、ＲＯＭ３０２、ＲＡＭ３０３、ＲＦＩＣ（Ｒａｄｉｏ  Ｆｒｅｑｕｅｎｃｙ  Ｉｎｔｅｇｒａｔｅｄ  Ｃｉｒｃｕｉｔ）３０４により構成できる。ＣＰＵ３０１は、ＲＯＭ３０２に格納されたプログラムを実行し、ＲＡＭ３０３を作業エリアとして使用することで、図１および図２に示した端末装置１０１全体の機能を実現する制御部である。端末装置１０１は、ノート型のＰＣに限らず、無線解析を行うボードであってもよい。
【００３５】
また、ＲＦＩＣ３０４は、対象信号ｒおよび干渉信号ｘの電測を実行し、図１および図２に示した無線部（ソフトウェア無線）１０２の機能を実現する。
【００３６】
図４は、実施の形態１にかかる電波干渉解析装置が保持する情報の一例を示す図表である。図２の信号情報保存部２０２に記憶保持される情報（パラメータ）の一例を示す。信号情報保存部２０２の導入システム情報保存部２１１には、対象信号ｒの情報として、対象信号ｒの電力、ＭＡＣ方式、送信間隔、パケット長を保持する。
【００３７】
また、信号情報保存部２０２の干渉波情報保存部２１２には、干渉信号（干渉波）ｒの情報として、干渉源Ｘとなる各干渉信号ｘの電力、ＭＡＣ方式、送信間隔、パケット長を保持する。図４の例では、干渉源Ｘごとに異なる通信システムのネットワーク（ＮＷ−１，ＮＷ−２，ＮＷ−ｎ）として記載してある。
【００３８】
（衝突率Ｒｉの算出例）
次に、上述したＰＥＲ算出の過程について具体的に説明する。はじめに、衝突率Ｒｉの算出例について説明する。衝突率Ｒｉは、衝突率Ｒｉ演算部２０６が下記演算により求める。
【００３９】
衝突率Ｒｉは、干渉源Ｘが干渉信号ｘを周期的に送信すると仮定し、ＣＳＭＡ／ＣＡの有無を考慮して求める。ここで、干渉信号ｘのパケット長Ｌｉ、周期Ｔｉとし、対象信号ｒのパケット長Ｌｓとする。この場合、対象信号ｒがある干渉信号ｘと衝突する確率を下記のＣＳＭＡ／ＣＡの状態別にそれぞれ求める。なお、電波干渉解析装置１００は対象信号ｒと干渉信号ｘはいずれも受信できる状態であるとする。
【００４０】
図５は、実施の形態１にかかる電波干渉解析装置による衝突率の算出を説明する図である。
１．対象信号ｒと干渉信号ｘがともにＣＳＭＡ／ＣＡを行わない場合
図５（ａ）に示すように、対象信号ｒと干渉信号ｘがともにＣＳＭＡ／ＣＡを行わない場合、干渉信号ｘの周期Ｔｉ内で期間ｔ０、およびｔ１で対象信号ｒを送信し始めると、対象信号ｒは干渉信号ｘと衝突する。この場合、衝突率Ｒｉは、（Ｌｓ＋Ｌｉ）／Ｔｉとなる。
【００４１】
２．対象信号ｒのみＣＳＭＡ／ＣＡを行う場合
図５（ｂ）に示すように、対象信号ｒのみＣＳＭＡ／ＣＡを行う場合、対象信号ｒはＣＳＭＡ／ＣＡにより、期間ｔ０部分では与干渉の送信タイミングを時間的に後ろにずらすため、衝突しない。但し、期間ｔ１で対象信号ｒを送信し始めると、対象信号ｒは干渉信号ｘと衝突する。この場合、衝突率Ｒｉは、Ｌｓ／Ｔｉとなる。
【００４２】
３．干渉信号ｘのみＣＳＭＡ／ＣＡを行う場合
図５（ｃ）に示すように、干渉信号ｘのみＣＳＭＡ／ＣＡを行う場合、干渉信号ｘのＣＳＭＡ／ＣＡにより、期間ｔ１の部分で与干渉の送信タイミングを時間的に後ろにずらすため、衝突しない。但し、期間ｔ０で対象信号ｒを送信し始めると、対象信号ｒは干渉信号ｘと衝突する。この場合、衝突率Ｒｉは、Ｌｉ／Ｔｉとなる。
【００４３】
４．対象信号ｒと干渉信号ｘがともにＣＳＭＡ／ＣＡを行う場合
この場合、対象信号ｒと干渉信号ｘが互いに干渉回避するため、衝突率Ｒｉは０となる。
【００４４】
なお、電波干渉解析装置１００は対象信号ｒと干渉信号ｘはいずれも受信できない場合、例えば隠れ端末となる場合等には、ＣＳＭＡ／ＣＡの有無にかかわらず衝突率Ｒｉを１とすればよい。
【００４５】
上記のパケット長Ｌ（Ｌｉ，Ｌｓ）と、送信間隔（周期Ｔｉ）は、長さが同じパケットを周期的に送信する前提とし、それぞれの平均値を求める。ここで、電波干渉解析装置１００は、所定の観測時間ｔlistenを有して複数パケットｎpacketsを観測する。この際、平均パケット長は、下記式（３）に基づき算出する。
【００４６】
【数１】
2019012916.tif 000003
【００４７】
ｐａｃｋｅｔ＿ｌｅｎｇｔｈ［ｋ］は、各観測パケットのパケット長である。
【００４８】
また、平均送信間隔（平均周期）は、下記式（４）に基づき算出する。
平均送信間隔＝ｔlisten÷ｎpackets  …（４）
【００４９】
（衝突時ＥＲｉの算出例）
次に、衝突時ＥＲｉの算出例について説明する。衝突時ＥＲｉ、すなわち、対象信号ｒと干渉信号ｘが時間的に重複したときに対象信号ｒを受信失敗する確率は、衝突時ＥＲｉ演算部２０８が下記演算により求める。
【００５０】
衝突時ＥＲｉは、下記１．〜３．の算出を順次行い求める。
１．ＳＩＮＲの算出
対象信号ｒと干渉信号ｘの電波強度の比から求める。この電波強度の比を用いたＳＩＮＲの算出は一般的手法である。
【００５１】
２．ＳＩＮＲに基づくＢＥＲ（Ｂｉｔ  Ｅｒｒｏｒ  Ｒａｔｅ）の算出
対象信号ｒの変調方式および検波方式により理論値で求めることができる。例えば、ＰＳＫ同期検波は下記式（５）に基づきＢＥＲを求める。また、ＦＳＫ遅延検波は下記式（６）に基づきＢＥＲを求めることができる。
【００５２】
【数２】
2019012916.tif 000004
【００５３】
３．ＢＥＲに基づく衝突時ＥＲｉの算出
１パケットのビット数をｎｐとし、この１パケット内のｎｃビットが衝突するとき、下記式（７）に基づき衝突時ＥＲｉを求める。ＢＥＲ0は衝突していないときのＢＥＲである。
【００５４】
【数３】
2019012916.tif 000005
【００５５】
図６は、実施の形態１にかかる電波干渉解析装置による衝突ビット数の算出を説明する図である。横軸は時間、縦軸は周波数である。上記の衝突ビット数ｎｃの算出例について説明する。衝突ビット数ｎｃは、下記式（８）に基づき衝突時ＥＲｉ演算部２０８が算出する。
衝突ビット数ｎｃ＝１パケットあたりの衝突時間ｔｃ×対象信号ｒのビットレート［ｂｉｔ／ｓｅｃ］  …（８）
【００５６】
１パケットあたりの衝突時間ｔｃは、干渉信号ｘと対象信号ｒの送信状態に基づき下記１．〜３．の状態別に求める。
１．干渉信号ｘの送信間隔＜対象信号ｒのパケット長のとき
この状態は、図６（ａ）に示す状態に相当する。この場合、１パケットあたりの衝突時間ｔｃは下記式（９）に基づき算出する。
ｔｃ＝対象信号ｒのパケット長×干渉信号ｘの占有率  …（９）
但し、干渉信号ｘの占有率＝干渉信号ｘのパケット長÷干渉信号ｘの送信間隔である。
【００５７】
２．対象信号ｒのパケット長≦干渉信号ｘの送信間隔、かつ、干渉信号ｘのパケット長＜対象信号ｒのパケット長のとき
この状態は、図６（ｂ）に示す状態に相当する。この場合、１パケットあたりの衝突時間ｔｃは下記式（１０）に基づき算出する。
ｔｃ＝干渉信号ｘのパケット長  …（１０）
【００５８】
３．対象信号ｒのパケット長≦干渉信号ｘのパケット長のとき
この状態は、図６（ｃ）に示す状態に相当する。この場合、１パケットあたりの衝突時間ｔｃは下記式（１１）に基づき算出する。
ｔｃ＝対象信号ｒのパケット長  …（１１）
【００５９】
また、対象信号ｒのビットレートは、評価対象Ｒの無線プロトコルで決められた固定値を用いる。
【００６０】
（ＰＥＲの算出例）
図７は、実施の形態１にかかる電波干渉解析装置によるＰＥＲの算出を説明する図である。ＰＥＲは、上記のように算出した衝突率Ｒｉと、衝突時ＥＲｉに基づき、ＰＥＲ演算部２０９が下記演算により求める。
【００６１】
はじめに、図７（ａ）に示すように、ＰＥＲｉ、すなわち、対象信号ｒと一つの干渉源ＸｉによるＰＥＲｉを下記式（１２）に基づき求める。
ＰＥＲｉ＝衝突率Ｒｉ×衝突時ＥＲｉ  …（１２）
【００６２】
次に図７（ｂ）に示すように、干渉源Ｘｉの全て（Ｘ１，Ｘ２，Ｘ３）の影響を考慮したＰＥＲを下記式（１３）に基づき求める。
【００６３】
【数４】
2019012916.tif 000006
【００６４】
上記式（１３）は、上記式（２）に相当する。
【００６５】
図８は、実施の形態１にかかる電波干渉解析装置が行う干渉対策の処理例を示すフローチャートである。
【００６６】
はじめに、無線部１０２（無線電波可視化部２０１）は、所定の観測時間で電測を行い、各信号、すなわち、対象信号ｒと干渉信号ｘそれぞれの電力、ＭＡＣ方式、送信間隔、パケット長を取得する（ステップＳ８０１ａ，ステップＳ８０１ｂ）。
【００６７】
次に、端末装置１０１（ＣＰＵ３０１）は、ＰＥＲ算出の各処理を実行開始し、はじめに、干渉源Ｘの数ｉを初期値１とし、数ｉに達するまで以下の処理を継続して実行する（ステップＳ８０２）。
【００６８】
そして、端末装置１０１は、対象信号ｒと干渉源ｉの干渉信号ｘｉのＲＳＳＩにより衝突時ＥＲｉを算出する（ステップＳ８０３）。また、端末装置１０１は、対象信号ｒと干渉源ｉの干渉信号ｘのＭＡＣ方式、パケット長、送信間隔から衝突率Ｒｉを算出する（ステップＳ８０４）。ステップＳ８０２とステップＳ８０３の処理はいずれを先に実行してもよい。
【００６９】
次に、端末装置１０１は、対象信号ｒが干渉源ｉのパケットに衝突し受信失敗する確率ＰＥＲｉを算出する（ステップＳ８０５）。ＰＥＲｉは、例えば、上記式（１２）に基づき算出する。この際、端末装置１０１は、例えば、算出したＰＥＲｉについて、干渉源ｉにより対象信号ｒが受信失敗する確率である旨を示して表示出力する（ステップＳ８０５ａ）。
【００７０】
そして、端末装置１０１は、以上のＰＥＲｉの算出処理を干渉源の数ｉだけ継続する（ステップＳ８０６）。ステップＳ８０６により、干渉源ｉの数分のＰＥＲｉが求められた後、端末装置１０１は、ＰＥＲｉからＰＥＲを算出し（ステップＳ８０７）、以上の処理を終了する。ＰＥＲは、例えば、上記式（１３）に基づき算出する。この際、端末装置１０１は、例えば、算出したＰＥＲについて、全ての干渉源ｉのうち、いずれかの干渉源ｉのパケットに衝突し、対象信号ｒのパケットが受信失敗する確率ＰＥＲである旨を示して表示出力する（ステップＳ８０７ａ）。
【００７１】
以上説明した実施の形態１によれば、評価対象の対象信号が複数の干渉源の干渉信号の影響を受けることに対応し、各干渉源別のＰＥＲｉと、干渉源ＰＥＲｉの全てのＰＥＲとをそれぞれ求める。ＰＥＲｉにより各干渉源別の干渉の影響を把握できるようになり、効果的な干渉対策を提示できるようになる。例えば、上述（図１参照）したようにＰＥＲｉが大きい干渉源を優先して除去する等の干渉対策を提示できるようになる。
【００７２】
また、ＰＥＲｉの算出においては、対象信号と干渉信号の衝突率Ｒｉと、衝突時ＥＲｉを用いて算出する。衝突率Ｒｉは、干渉信号および対象信号のＭＡＣ方式、パケット長、送信間隔等を用い、ＣＳＭＡ／ＣＡの有無を判断して算出する。また、衝突時ＥＲｉは、ＳＩＮＲに加えて変調方式および検波方式、パケットのビット数等を用いて算出する。このため、既存の技術の如く、単にＳＩＮＲによりＰＥＲを算出するものに比して対象信号のＰＥＲｉを精度よく算出できるようになる。
【００７３】
例えば、同じＳＩＮＲであっても、干渉源の占有率によってＰＥＲは異なるものであり、この占有率とＳＩＮＲに基づき正確なＰＥＲを求めることができる。これにより、電波干渉解析装置は、各種の通信方式が混在したエリアに新たに導入する無線機が影響を受ける電波状態および干渉対策をユーザに適切に提示できるようになる。
【００７４】
（実施の形態２）
次に、実施の形態２について説明する。実施の形態２の電波干渉解析装置１００は、複数の無線システム（異なるネットワークＮＷ）において、ある一つの無線システムを任意に選択し、この選択した無線システム（ネットワーク）の無線機を評価対象Ｒとして干渉影響を求める。
【００７５】
実施の形態２では、以下の解析例１．２．に対応できる。
解析例１．既設の無線システムのうち一つを評価対象Ｒとする。
この場合、評価対象Ｒとして、導入箇所に設置された無線システム（無線機）の一つを選択し、評価対象Ｒ以外の他の無線システム（無線機）を干渉源Ｘとし、対象信号ｒのＰＥＲを算出する。
【００７６】
解析例２．評価対象Ｒを導入箇所に設置しない状態で、評価対象Ｒの干渉影響を求める。
この場合、未設置の評価対象Ｒに関する情報を入力し、既に導入されている無線システム（無線機）を電測し、対象信号ｒのＰＥＲを算出する。
【００７７】
図９は、実施の形態２にかかる電波干渉解析装置の機能を示すブロック図である。実施の形態１（図２参照）と同じ構成部には同じ符号を付してある。
【００７８】
無線電波可視化部２０１は、受信点Ｐでの干渉信号ｘの通信状態を所定の観測時間の間、アンテナＡＮＴを介した実際の無線電波測定（電測）により取得し、干渉信号ｘに関する情報を干渉波情報保存部２１２に保存する。送信源解析部２０３とパケット長・送信間隔演算部２０４は、干渉信号ｘに関する情報（パラメータ）として、送信源（干渉源Ｘ）の情報、干渉信号ｘのパケット長および送信間隔を干渉波情報保存部２１２に保存する。
【００７９】
条件入力部９０１には、上記の解析例１．２．に応じた情報が入力される。解析例１．の場合、既設の無線システムのうち評価対象ＲのネットワークＮＷを指定する情報が入力される。この場合、評価対象Ｒとして指定したネットワークが例えばＮＷ−１であれば、他の無線システムは干渉源Ｘとして設定する。
【００８０】
また、解析例２．の場合、新たに導入する評価対象（無線機）Ｒに関する情報が入力される。すなわち、電測に代わる情報が直接入力される。この場合、信号情報保存部２０２の導入システム情報保存部２１１に保存する評価対象Ｒの情報を条件入力部９０１から入力する。例えば、ユーザは、条件入力部９０１から評価対象Ｒの情報、対象信号ｒのパケット長および送信間隔等を入力し、導入システム情報保存部２１１に保存する。
【００８１】
図１０は、電波干渉解析装置のパケット検出部によるパケット検出を説明する図である。パケット検出部は、実施の形態１のパケット長・送信間隔演算部２０４に相当し、一般的なスペクトログラムの機能を有する。
【００８２】
図１０に示すスペクトログラムは、横軸が時刻、縦軸が周波数である。パケット検出部（パケット長・送信間隔演算部）２０４は、電測したパケットの周波数帯域ｆ、パケット長ｐ、スペクトラム形状、プリアンブルの情報、受信時刻、ＲＳＳＩ、等に基づき、受信したパケットの規格を特定する。この実施の形態２では、電測した干渉信号ｘに対するパケットの規格を特定する。なお、実施の形態１では、電測した対象信号ｒおよび干渉信号ｘのパケットの規格を特定する。
【００８３】
図１１は、電波干渉解析装置の送信源解析部によるパケットの送信源特定を説明する図である。図１１の横軸は時刻、縦軸は周波数である。送信源解析部２０３は、パケット検出部（パケット長・送信間隔演算部）２０４が特定したパケットごとの規格の情報に基づき、パケットごとの送信源を特定する。この送信源解析部２０３の機能についても、一般的なスペクトログラムの機能に相当する。
【００８４】
具体的には、規格、ＲＳＳＩ、周波数帯域が同じパケットは送信源が同じと判断し、各パケットの送信源を特定する。図１１の例では、規格、ＲＳＳＩ、周波数帯域に基づいて、パケットＰ１，Ｐ３，Ｐ４が同じ送信源（１）と特定する。また、パケットＰ２，Ｐ５が同じ送信源（２）と特定する。また、パケットＰ６，Ｐ７が同じ送信源（３）と特定する。また、パケットＰ８，Ｐ９，Ｐ１０が同じ送信源（４）と特定する。また、パケットＰ１１，Ｐ１２が同じ送信源（５）と特定する。また、パケットＰ１３，Ｐ１４が同じ送信源（６）と特定する。
【００８５】
これにより、電測した対象信号ｒおよび干渉信号ｘの各パケットについて送信源を特定できる。
【００８６】
図１２Ａ，図１２Ｂは、実施の形態２にかかる電波干渉解析装置が保持する情報の一例を示す図表である。これらの図は解析例２．に対応し、評価対象Ｒが既に導入設置され評価対象Ｒを選択することで、他のネットワークを干渉源Ｘとして特定する。
【００８７】
電波干渉解析装置１００は、設置箇所において、複数のネットワークＮＷ−１〜ＮＷ−ｎのパケットを電測し、パラメータ（電力、ＭＡＣ方式、送信間隔、パケット長等）を取得する。例えば、ユーザ入力により、評価対象ＲをネットワークがＮＷ−１として指定すると、図１２Ａに示すように、対象信号ｒは、ＮＷ−１となる。この場合、電波干渉解析装置１００は、ネットワークＮＷ−１以外の他のネットワーク（ＮＷ−２，ＮＷ−３，…，ＮＷ−ｎ）が対象信号ｒに対する干渉信号ｘとして特定する。
【００８８】
また、評価対象Ｒが属するネットワークがＮＷ−２の場合、図１２Ｂに示すように、ユーザ入力で対象信号ｒをＮＷ−２として指定する。この場合、電波干渉解析装置１００は、ネットワークＮＷ−２以外の他のネットワーク（ＮＷ−１，ＮＷ−３，…，ＮＷ−ｎ）が対象信号ｒに対する干渉信号ｘとして特定する。このように、解析例２．の場合、電波干渉解析装置１００に対するユーザ入力により、評価対象Ｒのネットワークを指定できる。
【００８９】
これら図１２Ａ，図１２Ｂに示すように、信号情報保存部２０２の導入システム情報保存部２１１には、対象信号ｒの情報として、対象信号ｒの電力、ＭＡＣ方式、送信間隔、パケット長が保存される。そして、評価対象Ｒが２つの場合（ＮＷ−１，ＮＷ−２）、それぞれの評価対象Ｒの対象信号ｒ以外の他のネットワークから受ける干渉信号ｘの影響を判断できる。すなわち、複数の評価対象Ｒに対する干渉の影響をそれぞれ判断できる。
【００９０】
また、信号情報保存部２０２の干渉波情報保存部２１２には、干渉信号ｘの情報として、対象信号ｒ以外のネットワーク（干渉源Ｘ）の各干渉信号ｘの電力、ＭＡＣ方式、送信間隔、パケット長を格納する。
【００９１】
図１３は、実施の形態２にかかる電波干渉解析装置による干渉対策の処理例を示すフローチャートである。主に、上記解析例１．に対応して、電波干渉解析装置１００がサイトサーベイと、評価対象Ｒの情報入力により行うＰＥＲ推定にかかる処理を抽出して示してある。図１３の処理では、評価対象Ｒを未設置の状態で、評価対象Ｒに関する情報がユーザ入力される。
【００９２】
電波干渉解析装置１００は、無線電波可視化部２０１によるサイトサーベイ、すなわち、電測により干渉信号ｘに関するパケットの情報を取得し、干渉波情報保存部２１２に干渉信号ｘのパラメータ（電力、ＭＡＣ方式、送信間隔、パケット長等）を格納保持する。
【００９３】
パケット検出部（パケット長・送信間隔演算部）２０４は、観測スペクトログラムに基づき、検出したパケットの規格、ＲＳＳＩ、周波数帯域、受信時刻、パケット長等を検出する。そして、干渉波情報保存部２１２に各干渉信号ｘの情報（図１０参照）を保存する（ステップＳ１３０１）。また、送信源解析部２０３は、各干渉信号ｘの規格、ＲＳＳＩ、周波数帯域、送信間隔、パケット長等により、干渉信号ｘ（各パケット）を送信した各干渉源Ｘ（ネットワークの無線機）を特定する（図１１参照）。そして、干渉波情報保存部２１２に各干渉信号ｘの情報として保存する（ステップＳ１３０２）。
【００９４】
また、条件入力部９０１には、評価対象Ｒの対象信号ｒに関する情報（新たに導入する無線機の規格、ＲＳＳＩ、周波数帯域、パケット長等）がユーザ入力される（ステップＳ１３０３）。
【００９５】
このユーザ入力により対象信号ｒが特定され、対象信号ｒ以外の電測された各パケットが干渉信号ｘとなる。なお、対象信号ｒに関する情報のユーザ入力後に、ステップＳ１３０１，ステップＳ１３０２の処理を実行することで、ステップＳ１３０１とステップＳ１３０２の処理では、干渉信号ｘに関する処理を実行できる。そして、これら対象信号ｒと干渉信号ｘが特定された後、ＰＥＲ演算部２０９によるＰＥＲ演算の処理が実行される。ＰＥＲ演算の処理は、実施の形態１（図８参照）と同様である。
【００９６】
このように、実施の形態２によれば、解析例１．に対応して、既設の無線機の一つを評価対象Ｒに選択することで、他のネットワークを干渉源Ｘとして、評価対象Ｒに対する干渉の影響を求めることができる。この際、既設の任意の無線機（ネットワーク）を切り替えて評価対象Ｒとして、干渉の影響を求めることができる。
【００９７】
また、解析例２．に対応して、評価対象Ｒの対象信号ｒに関するパラメータをユーザ入力し、また、電測したパケットについて、干渉信号ｘを特定することで、対象信号ｒと干渉信号ｘとを分離する。この後、対象信号ｒが干渉信号ｘの影響を受けた場合のＰＥＲを求めることができる。この場合、新たに導入する評価対象Ｒを導入箇所に実際に設置せずとも、導入箇所に評価対象Ｒを配置した場合を想定したＰＥＲを簡単に求めることができるようになる。
【００９８】
（実施の形態３）
次に、実施の形態３について説明する。実施の形態３では、評価対象Ｒおよび干渉源Ｘをいずれも導入箇所に設置していない状態で、受信点Ｐにおける対象信号ｒのＰＥＲを算出する。実施の形態３の電波干渉解析装置１００は、対象信号ｒと干渉信号ｘの情報をいずれもユーザ入力し、電波伝搬シミュレーションにより、対象信号ｒのＰＥＲを算出する。
【００９９】
図１４は、実施の形態３にかかる電波干渉解析装置の機能を示すブロック図である。実施の形態２（図９参照）と同じ構成部には同じ符号を付してある。
【０１００】
実施の形態３では、電測を行わないため、無線電波可視化部２０１（無線部１０２）を用いずに電波干渉解析装置１００は、端末装置１０１だけで構成できる。端末装置１０１は、電波伝搬シミュレーション部１４０１を備え、送信源解析部２０３とパケット長・送信間隔演算部２０４は不要にできる。条件入力部９０１には、ユーザ入力により、干渉源Ｘの干渉信号ｘと、評価対象Ｒの対象信号ｒに関する情報が入力される。
【０１０１】
そして、電波伝搬シミュレーション部１４０１は、条件入力部９０１から入力された干渉信号ｘと対象信号ｒに関する情報に基づき、干渉信号ｘと対象信号ｒに関する電波伝搬をシミュレーションする。この電波伝搬シミュレーション部１４０１は、一般的なものであり、評価対象Ｒの導入設置箇所のレイアウトや、既設の無線機（ネットワーク）の情報、導入する評価対象Ｒの情報等、に基づき干渉信号ｘと対象信号ｒに関する電波伝搬をシミュレーションする。
【０１０２】
図１５は、実施の形態３にかかる電波干渉解析装置が行う電波伝搬シミュレーションを説明する図である。この図１５には、評価対象Ｒを新規導入する場所（部屋１５０１）の平面図を示す。電波伝搬シミュレーション部１４０１は、導入先のレイアウトの情報として、電波干渉解析装置１００（受信点Ｐ）の設置場所と、部屋１５０１内における干渉源Ｘ（既設の無線機等）の設置場所と、評価対象Ｒの設置場所の情報を用いる。また、部屋１５０１内に無線電波を遮蔽する遮蔽物Ｚがあれば、この遮蔽物Ｚの設置情報についても用いて干渉信号ｘと対象信号ｒに関する電波伝搬をシミュレーションする。
【０１０３】
図１６は、実施の形態３にかかる電波干渉解析装置による干渉対策の処理例を示すフローチャートである。主に、電波干渉解析装置１００が条件入力により電波伝搬シミュレーションを行いＰＥＲ推定する処理を抽出して示してある。
【０１０４】
電波干渉解析装置１００の条件入力部９０１には、導入先の部屋１５０１のレイアウト、既設の（干渉源となる）無線機の規格、新規導入する評価対象Ｒ（無線機）の規格等の情報（パラメータ）がユーザ入力される（ステップＳ１６０１）。
【０１０５】
そして、電波伝搬シミュレーション部１４０１は、入力されたレイアウト情報、無線機の情報に基づいて、受信点Ｐにおける各無線機（干渉源Ｘ）の干渉信号ｘ、評価対象Ｒの対象信号ｒの電波強度をシミュレーションする（ステップＳ１６０２）。
【０１０６】
また、条件入力部９０１には、あらかじめ各無線機（干渉源Ｘ）の干渉信号ｘ、評価対象Ｒの対象信号ｒの情報（規格、周波数、送信間隔、パケット長等）がユーザ入力される（ステップＳ１６０３）。
【０１０７】
そして、ＰＥＲ演算部２０９は、電波伝搬シミュレーション部１４０１が出力する各無線機の受信点Ｐにおける電波強度と、条件入力部９０１を介してユーザ入力された各無線機の情報に基づいて、ＰＥＲ演算の処理を実行する。ＰＥＲ演算の処理は、実施の形態１（図８参照）と同様である。
【０１０８】
このように、実施の形態３によれば、評価対象Ｒの対象信号ｒ、および干渉源Ｘの干渉信号ｘに関するパラメータ、および評価対象Ｒの導入箇所のレイアウト情報をユーザ入力し、電波伝搬シミュレーションを行い、受信点Ｐにおける各信号の受信強度を求める。この後、対象信号ｒが干渉信号ｘの影響を受けた場合のＰＥＲを求めることができる。そして、実施の形態３によれば、新たに導入する評価対象Ｒ、さらには干渉源Ｘを実際に設置せずとも、導入箇所に評価対象Ｒおよび干渉源Ｘを配置した場合を想定したＰＥＲを簡単に求めることができるようになる。
【０１０９】
（実施の形態４）
次に、実施の形態４について説明する。上述した実施の形態１〜３によれば、評価対象Ｒの対象信号ｒについて、干渉信号ｘにより影響を受けた場合のＰＥＲを得ることができる。実施の形態４は、上述した実施の形態１〜３（例えば、図２，図９、図１４）で説明したＰＥＲ演算部２０９がＰＥＲを求めた後、より適切なチャネル（周波数）を探索する構成である。
【０１１０】
図１７は、実施の形態４にかかる電波干渉解析装置による運用チャネルの決定の処理例を示すフローチャートである。主に、電波干渉解析装置１００のＰＥＲ演算部２０９の処理内容を示し、ＰＥＲに基づき対象信号ｒの適切な運用チャネルを探索する処理を示している。ＰＥＲ演算部２０９が行うＰＥＲ演算自体の処理内容は実施の形態１（図８参照）と同様である。
【０１１１】
ＰＥＲ演算部２０９には、条件入力部９０１を介したユーザ入力等により、対象信号ｒの情報と、干渉信号ｘの情報が入力される。例えば、これら対象信号ｒおよび干渉信号ｘのチャネル（周波数）、送信電力等の情報が入力される。
【０１１２】
ＰＥＲ演算部２０９は、入力された対象信号ｒおよび干渉信号ｘのチャネル（周波数）の情報に基づいて、対象信号ｒのチャネル分、以下の処理をループ処理する（ステップＳ１７０１）。はじめに、ＰＥＲ演算部２０９は、入力に対応して対象信号ｒのチャネルを変更する（ステップＳ１７０２）。
【０１１３】
そして、ＰＥＲ演算部２０９は、この対象信号ｒのチャネルのときのＰＥＲを推定する（ステップＳ１７０３）。ＰＥＲ演算部２０９は、このＰＥＲ推定の処理を対象信号ｒのチャネル分繰り返し実行する（ステップＳ１７０４）。全チャネルの探索を行うことにより、ＰＥＲ演算部２０９は、対象信号ｒのＰＥＲが要求仕様を満たすチャネルのリストを出力する（ステップＳ１７０５）。
【０１１４】
図１８は、実施の形態４にかかる電波干渉解析装置による運用チャネルの探索を説明する図表である。横軸は対象信号ｒのチャネル（周波数）、縦軸は対象信号ｒのＰＥＲを示す。
【０１１５】
図１７の処理により、ＰＥＲ演算部２０９は、対象信号ｒについてチャネルを可変させた探索（スキャン）を行い、各チャネルごとのＰＥＲを求める（図１８の状態）。そして、ＰＥＲ演算部２０９は、対象信号ｒの全チャネルのうち運用に適したチャネルを選択する。図１８に示す例では、ＰＥＲ演算部２０９は、ＰＥＲが低いチャネル（例えば、周波数ｆ１，ｆ２等）が運用に適していると判断し、これら周波数ｆ１、ｆ２のチャネルのリストを出力する。
【０１１６】
このように、実施の形態４によれば、評価対象Ｒの対象信号ｒ、および干渉源Ｘの干渉信号ｘの情報に基づき、対象信号ｒのチャネル（周波数）を可変させて探索することで、対象信号ｒの運用に適したチャネルをユーザにリスト等で提示することができる。上記処理では、対象信号ｒのチャネル変更を例に説明したが、これに限らず、対象信号ｒの送信電力を変更した場合であっても同様にＰＥＲを求めることができるようになる。これにより、干渉信号ｘの影響を考慮して、対象信号ｒの適切な運用チャネルや送信電力をユーザに提示できるようになる。
【０１１７】
(実施の形態５）
次に、実施の形態５について説明する。実施の形態５では、無線システムの最適化に関し、上述した実施の形態１〜４いずれかの構成に加えて、ＰＥＲ演算部２０９は、求めたＰＥＲに対しユーザが求める条件（目的）に応じて最適なＰＥＲを求める構成である。
【０１１８】
例えば、新たに導入する評価対象Ｒ（無線機）と既設の無線機（干渉源Ｘ）のチャネルや電力を変数とした最適化問題により、ユーザの目的に適合した無線システムを提示する。ここで、実施の形態５では、新たに導入する評価対象ＲのＰＥＲと、既設の無線機のＰＥＲ間のトレードオフを解決する。
【０１１９】
（１）例えば、新たに導入する無線機（評価対象Ｒ）の性能を最大化する目的の場合、目的関数は「評価対象ＲのＰＥＲ」、制約条件は「既設の無線機のＰＥＲ≦ユーザの要求性能」である。
【０１２０】
（２）このほか、新たに導入する無線機（評価対象Ｒ）による既設の無線機への影響を最小化する目的の場合、目的関数は「既設の無線機のＰＥＲ劣化量の合計値」、制約条件は「新たに導入する無線機のＰＥＲ≧ユーザの要求性能」である。
【０１２１】
図１９は、実施の形態５にかかる電波干渉解析装置による無線システムの最適化処理の例を示すフローチャートである。主に、電波干渉解析装置１００のＰＥＲ演算部２０９の処理内容を示し、新規導入の無線機（評価対象Ｒ）と、既設の無線機（干渉源Ｘ）のＰＥＲに基づき目的関数と制約条件の評価に基づき、無線システムを目的に合わせて最適化する処理を示している。ＰＥＲ演算部２０９が行うＰＥＲ演算自体の処理内容は実施の形態１（図８参照）と同様である。
【０１２２】
はじめに、導入する無線機（評価対象Ｒ）と、既設の無線機（干渉源Ｘ）について、それぞれ設定したチャネルと、ＲＳＳＩ等をユーザ入力する（ステップＳ１９０１）。そして、ＰＥＲ演算部２０９は、これら評価対象Ｒと干渉源Ｘの各無線機のチャネルと、ＲＳＳＩ等に基づきＰＥＲを推定する（ステップＳ１９０２）。
【０１２３】
次に、目的関数と制約条件を評価する（ステップＳ１９０３）。この評価は、例えば、上述した（１）、（２）等であり、ＰＥＲ演算部２０９が出力する評価対象Ｒと干渉源ＸのＰＥＲに基づきユーザが評価する。これに限らず、ＰＥＲ演算部２０９がそれぞれのＰＥＲ値を比較して自動実行することもできる。
【０１２４】
次に、ＰＥＲ演算部２０９は、終了条件をクリアしたか判断する（ステップＳ１９０４）。終了条件は、例えば、ユーザが設定した上記（１）、（２）の制約条件である。例えば、勾配降下法などの最適化アルゴリズムを使用して最適解を見つける。このほか、総当たり法により、ユーザが設定した要求性能を満たす全ての解を列挙するほか、最初に見つけた解を出力する。
【０１２５】
終了条件をクリアしていなければ（ステップＳ１９０４：Ｎｏ）、ＰＥＲ演算部２０９は、変数の値を変更し（ステップＳ１９０５）、ステップＳ１９０１の処理に戻る。変数は、上記評価対象Ｒあるいは干渉源Ｘのチャネル、ＲＳＳＩ等である。そして、値を変更した変数に関するパラメータ（ＰＥＲ）のみを用いて目的関数を再計算することで計算コストを削減できる。
【０１２６】
終了条件をクリアしていれば（ステップＳ１９０４：Ｙｅｓ）、ＰＥＲ演算部２０９は、新規導入した無線機（評価対象Ｒ）および既設の無線機（干渉源Ｘ）のチャネルとＲＳＳＩを出力する（ステップＳ１９０６）。
【０１２７】
このように、実施の形態５によれば、新たに導入する評価対象Ｒ（無線機）と既設の無線機（干渉源Ｘ）のチャネルや電力を変数とした最適化問題により、ユーザの目的に適合した無線システムを提示できる。そして、新たに導入する評価対象ＲのＰＥＲと、既設の無線機（干渉源Ｘ）のＰＥＲ間のトレードオフを解決でき、評価対象Ｒおよび干渉源ＸそれぞれのＰＥＲ要求性能を満たした最適な無線システムを提示できるようになる。
【０１２８】
（実施の形態６）
次に、実施の形態６について説明する。実施の形態６では、新規導入する無線機（評価対象Ｒ）のＰＥＲ劣化に最も影響を与える干渉源Ｘを特定し、ユーザに提示する例を説明する。
【０１２９】
既存の技術によれば、干渉源Ｘの情報として、使用周波数、占有率、ＲＳＳＩの表示は可能である。しかしながら、複数のうちどの干渉源Ｘが新規導入する無線機（評価対象Ｒ）の性能（ＰＥＲ）の劣化に影響しているかを特定できない。これは、複数の干渉源Ｘそれぞれの周波数、占有率、ＲＳＳＩが異なるためである。
【０１３０】
この点、本願発明によれば、実施の形態１で説明したように、干渉源ＸｉのＰＥＲｉを算出できる。このＰＥＲｉは、「複数のうちある干渉源Ｘｉの送信パケットで評価対象Ｒの対象信号ｒが受信失敗する確率」を示す。したがって、求めたＰＥＲｉに基づき、電波干渉解析装置１００（ＰＥＲ演算部２０９）は、ＰＥＲ劣化の影響の大小を明確に提示することができる。
【０１３１】
例えば、図１に示したように、複数の各干渉源Ｘｉ別のＰＥＲｉをそれぞれユーザに提示できる。図１の例で説明すると、干渉源Ｘ３のＰＥＲ3が３％と最も値が大きい。これにより、電波干渉解析装置１００は、評価対象Ｒの対象信号ｒの「ＰＥＲ劣化の一番大きな原因は干渉源Ｘ３」である旨をユーザに表示等で提示することができる。これにより、ユーザは、干渉源Ｘ３を取り除くことが干渉対策として最も効果的であることを把握できるようになる。なお、「取り除く」とは干渉源Ｘ３の配置を撤去することのみを指すものではなく、対象信号ｒが干渉源Ｘ３の干渉信号ｘによる干渉を避けるために、各種干渉対策を含む。
【０１３２】
以上説明した実施の形態１〜６によれば、干渉源Ｘの占有率とＳＩＮＲの両方を考慮したＰＥＲを算出できる。本願発明では、実施の形態１で説明したように、評価対象の対象信号が複数の干渉源の干渉信号の影響を受けることに対応し、各干渉源別のＰＥＲｉと、干渉源ＰＥＲｉの全てのＰＥＲとをそれぞれ求める。そして、ＰＥＲｉの算出においては、対象信号と干渉信号の衝突率Ｒｉと、衝突時ＥＲｉを用いて算出する。衝突率Ｒｉは、干渉信号および対象信号のＭＡＣ方式、パケット長、送信間隔等を用い、ＣＳＭＡ／ＣＡの有無を判断して算出する。また、衝突時ＥＲｉは、ＳＩＮＲに加えて変調方式および検波方式、パケットのビット数等を用いて算出する。このため、同じＳＩＮＲであっても、干渉源の占有率によってＰＥＲは異なるが、本願発明によれば、占有率とＳＩＮＲに基づき正確なＰＥＲを求めることができる。
【０１３３】
図２０は、各実施の形態にかかる電波干渉解析装置が算出した干渉波の占有率に応じたＰＥＲを示す図表である。横軸は干渉波（干渉信号ｘ）の占有率、縦軸はＰＥＲである。図２０のシミュレーションでは、以下の条件を１０００回ずつ行い、平均値と四分位数を示す。対象信号ｒは、ＢＬＥ（Ｂｌｕｅｔｏｏｔｈ  Ｌｏｗ  Ｅｎｅｒｇｙ）：３７ｃｈ、−７１ｄＢｍ、パケット長；０．２ｍｓ、送信間隔：２００ｍｓである。干渉源Ｘは、２台のＷｉＦｉ機器であり、１台は、１ｃｈ、−６８ｄＢｍ、パケット長：１．７ｍｓ、送信間隔：パケット長÷占有率である。もう１台は、１ｃｈ、−５５ｄＢｍ、パケット長：０．２８ｍｓ（固定）、送信間隔：２００ｍｓ（固定）とした。
【０１３４】
従来のＳＩＮＲからＰＥＲを求める方法の特性線Ｂは、干渉波（干渉信号ｘ）の占有率にかかわらずＰＥＲは所定の一定値である。従来法では、干渉信号ｘが１００％衝突すると仮定しているため、衝突しないパケットが多いほど悲観的な計算結果となる。
【０１３５】
これに対し、本願発明によれば、干渉波の占有率（５〜９５％）に応じて異なるＰＥＲの特性Ａを得ることができる。図２０の例では、干渉信号の占有率とＰＥＲが比例する関係である。そして、占有率とＳＩＮＲの両方を考慮したＰＥＲを求めることで、より正確なＰＥＲを求めることができる。
【０１３６】
（実施の形態７）
次に、実施の形態７以下の各実施の形態では、上述した実施の形態１〜６により算出したＰＥＲを含む情報を用いて干渉源Ｘによる干渉の影響をユーザに対して効果的に視覚化して提示する構成例について説明する。
【０１３７】
無線干渉対策を行うには、以下の情報を効果的に可視化してユーザに提示するＧＵＩ（Ｇｒａｐｈｉｃ  Ｕｓｅｒ  Ｉｎｔｅｒｆａｃｅ）が必要である。情報としては、干渉信号ｘの情報（無線規格、ｃｈ、ＲＳＳＩ、占有率等）、対象信号ｒの情報（無線規格、ｃｈ、ＲＳＳＩ等）、干渉信号ｘの対象信号ｒへの影響度、がある。
【０１３８】
そして、実施の形態では、各干渉波（干渉信号ｘ）について無線干渉としての影響度を色等で識別して表示するＵＩを備える。また、ＲＳＳＩ、周波数（ｃｈ）別に表示する。また、干渉への影響度を考慮する必要があるＲＳＳＩの閾値（ＲＳＳＩ閾値）を描画する。そして、干渉への影響の合計値を表示する。
【０１３９】
図２１は、実施の形態７にかかる電波干渉解析装置の機能を示すブロック図である。図に示すように、実施の形態７では、上述した各実施の形態（例えば図１）で説明したＰＥＲ演算にかかる各構成に加えて、ＧＵＩ出力部２１０１と、ＧＵＩ入力部２１０２と、を含む。なお、図２１では、端末装置１０１の機能の記載を一部省略している。
【０１４０】
ＧＵＩ出力部２１０１は、ＰＥＲ演算部２０９が出力するＰＥＲの情報を所定のＧＵＩによりユーザに提示（表示出力）する。ＧＵＩ入力部２１０２は、ＧＵＩ出力部２１０１によってユーザに提示されたＰＥＲの情報に基づくユーザ操作を受け付ける。そして、ＧＵＩ入力部２１０２は、信号情報保存部２０２に保存された情報（パラメータ）をユーザ操作に対応して変更する。
【０１４１】
図２１に示すＧＵＩの表示出力およびユーザ入力に関する機能は、例えば、上記図３に示したハードウェア構成を用いて実現できる。ＧＵＩ出力部２１０１、およびＧＵＩ入力部２１０２のＧＵＩ表示情報の生成は、図３に記載のＣＰＵ３０１のプログラム実行、またはＧＵＩ専用ＧＰＵ（Ｇｒａｐｈｉｃｓ  Ｐｒｏｃｅｓｓｉｎｇ  Ｕｎｉｔ）等を用いて実現できる。
【０１４２】
ＧＵＩ出力部２１０１が生成したＧＵＩ表示情報は、ＣＰＵ３０１に接続された端末装置１０１のディスプレイ（不図示）を用いて表示出力できる。また、ＧＵＩ入力部２１０２のユーザ入力は、ＣＰＵ３０１に接続された端末装置１０１のキーボードやマウス（不図示）を用いて実現できる。また、ディスプレイとキーボードが一体化されたタッチパッドを用いることもできる。
【０１４３】
図２２は、実施の形態７にかかる電波干渉解析装置による干渉状態の表示例を示す図である。ＧＵＩ出力部２１０１によるディスプレイへの表示画面２２０１の表示例を示す。横軸は周波数（チャネル）、縦軸はＲＳＳＩである。図示のように、評価対象Ｒの対象信号ｒと、複数の干渉源Ｘの干渉信号ｘについて、それぞれの周波数（帯域）とＲＳＳＩの値を組み合わせた所定領域の表示枠で表示する。
【０１４４】
図示の例では、各表示枠を網掛け等で記載したが、ＧＵＩ出力部２１０１は、対象信号ｒを各色で段階的に強調表示する。例えば、干渉影響度が高い干渉信号ｘほど赤で表示し、干渉影響度が低くなるにしたがい橙→黄→緑→水色→青→灰色→黒、等と色を変化させて表示させる。表示枠の強調表示は、色別に限らず、濃淡や点滅等各種態様とすることができる。これにより、対象信号ｒと各干渉源Ｘの干渉信号ｘを区別でき、また、干渉信号ｘを干渉影響度に対応した色の表示枠で強調表示でき、ユーザが容易に把握できる。
【０１４５】
また、ＧＵＩ出力部２１０１は、表示画面２２０１上に、干渉影響計情報２２０３を表示する。干渉影響計情報２２０３は、干渉源Ｘ全てのＰＥＲの合計値である（図示の例では０．９０）。
【０１４６】
また、ＧＵＩ出力部２１０１は、表示画面２２０１上に、ＲＳＳＩ閾値２２０４を表示する。ＲＳＳＩ閾値２２０４は、評価対象Ｒの対象信号ｒの規格やＲＳＳＩに基づき、所定のＲＳＳＩ値として表示する。ＲＳＳＩ閾値２２０４は、干渉信号ｘがこのＲＳＳＩ閾値２２０４よりもレベル（パワー）が高い場合対象信号ｒのＰＥＲに影響を与えることを示す指標として表示する。
【０１４７】
図２３は、実施の形態７にかかる電波干渉解析装置が行う干渉対策の処理例を示すフローチャートである。ステップＳ２３０１〜ステップＳ２３０７までの処理は、実施の形態１（図８参照）のステップＳ８０１〜ステップＳ８０７と同様である。
【０１４８】
はじめに、無線部１０２（無線電波可視化部２０１）は、所定の観測時間で電測を行い、各信号、すなわち、対象信号ｒと干渉信号ｘそれぞれの電力、ＭＡＣ方式、送信間隔、パケット長を取得する（ステップＳ２３０１ａ，ステップＳ２３０１ｂ）。
【０１４９】
次に、端末装置１０１（ＣＰＵ３０１）は、ＰＥＲ算出の各処理を実行開始し、はじめに、干渉源Ｘの数ｉを初期値１とし、数ｉに達するまで以下の処理を継続して実行する（ステップＳ２３０２）。
【０１５０】
そして、端末装置１０１は、対象信号ｒと干渉源ｉの干渉信号ｘｉのＲＳＳＩにより衝突時ＥＲｉを算出する（ステップＳ２３０３）。また、端末装置１０１は、対象信号ｒと干渉源ｉの干渉信号ｘのＭＡＣ方式、パケット長、送信間隔から衝突率Ｒｉを算出する（ステップＳ２３０４）。ステップＳ２３０２とステップＳ２３０３の処理はいずれを先に実行してもよい。
【０１５１】
次に、端末装置１０１は、対象信号ｒが干渉源ｉのパケットに衝突し受信失敗する確率ＰＥＲｉを算出する（ステップＳ２３０５）。ＰＥＲｉは、例えば、上記式（１２）に基づき算出する。この際、端末装置１０１は、例えば、算出したＰＥＲｉについて、干渉源ｉにより対象信号ｒが受信失敗する確率である旨を示して表示出力する（ステップＳ２３０５ａ）。
【０１５２】
そして、端末装置１０１は、以上のＰＥＲｉの算出処理を干渉源の数ｉだけ継続する（ステップＳ２３０６）。ステップＳ２３０６により、干渉源ｉの数分のＰＥＲｉが求められた後、端末装置１０１は、ＰＥＲｉからＰＥＲを算出する（ステップＳ２３０７）。ＰＥＲは、例えば、上記式（１３）に基づき算出する。この際、端末装置１０１は、例えば、算出したＰＥＲについて、全ての干渉源ｉのうち、いずれかの干渉源ｉのパケットに衝突し、対象信号ｒのパケットが受信失敗する確率ＰＥＲである旨を示して表示出力する（ステップＳ２３０７ａ）。
【０１５３】
次に、ＧＵＩ出力部２１０１は、ＰＥＲｉおよびＰＥＲの情報に基づき、図２２に示したＧＵＩの表示画面２２０１を表示する（ステップＳ２３０８）。この際、端末装置１０１（ＣＰＵ３０１）は、表示画面２２０１上に、複数の干渉源Ｘｉと対象信号ｒについて、周波数とＲＳＳＩを示す表示枠を表示する。また、干渉影響計情報２２０３とＲＳＳＩ閾値２２０４も表示する。
【０１５４】
表示画面２２０１により、ユーザは、対象信号ｒに対する干渉の影響度別の干渉源Ｘを判断できるようになる。例えば、実際にはＲＳＳＩが高くても干渉には影響しない干渉信号ｘもあるが、ユーザは一目でどの干渉信号ｘが対象信号ｒに干渉影響を与えているかを強調表示された色別に容易に判断できるようになる。また、周波数（ｃｈ）方向の設定変更による作用効果もわかるようになる。
【０１５５】
また、ＲＳＳＩ閾値２２０４より低いＲＳＳＩで到来する干渉信号ｘは干渉の影響としては無視できることになるため、ＲＳＳＩの値の設定変更、すなわち、対象信号ｒの送信出力増加を想定したときの効果を一目で容易に判断できるようになる。なお、無線通信の特徴として、あるＳＩＮＲを境界としてパケット受信成功率は急激に変化する。
【０１５６】
そして、ＧＵＩの表示画面２２０１により、ユーザに対して、対象信号ｒに対する干渉対策を提示できる。表示画面２２０１上の対象信号ｒおよび干渉信号ｘの表示枠の位置に基づき、例えば、ユーザは、対象信号ｒのｃｈ（周波数）変更、あるいは、送信出力を変更させたときの干渉の影響を把握できるようになる。
【０１５７】
図２４は、実施の形態７にかかる電波干渉解析装置の表示に基づく干渉対策を説明する図である。図２４は、図２２と同じ表示画面２２０１である。図２４に示す表示画面２２０１によれば、対象信号ｒは、隣接するｃｈを含め他のいずれのｃｈにおいても高い影響度の干渉信号ｘ（ｘ４、ｘ５等）が存在していることが表示されている。この場合、ユーザは、対象信号ｒのｃｈ変更による干渉影響低減の効果は低いことが把握できる。
【０１５８】
一方、対象信号ｒの送信出力（ＲＳＳＩ）を少し増加させれば、高い影響度の干渉信号ｘ（ｘ３、ｘ４等）による干渉が抑制可能であることが表示され、ユーザはこれを把握できる。
【０１５９】
図２４に示す表示画面２２０１は、対象信号ｒの評価対象Ｒを新規導入する場合の干渉影響の判断および対策に用いるに限らない。すなわち、既に設置済みの所定の対象信号ｒの評価対象Ｒが他の干渉源Ｘによる干渉の影響を受けている場合の干渉影響の判断および対策にも用いることができる。
【０１６０】
図２５は、実施の形態７にかかる電波干渉解析装置の表示に基づく干渉対策後の表示例を示す図である。図２４の表示画面２２０１の表示に基づいて、ユーザが評価対象Ｒの対象信号ｒに対する送信出力を増加させるパラメータ変更を行った後の表示画面２２０１を示す。
【０１６１】
ＧＵＩ入力部２１０２は、ユーザ入力によるパラメータ入力（送信出力の増加）に基づき、信号情報保存部２０２に保存されている対象信号ｒに関するパラメータ（電力）の値を変更する。これにより、電波干渉解析装置１００（端末装置１０１）は、一連のＰＥＲ演算にかかる処理を実行し（図８参照）、新たなＰＥＲを求める。そして、ＧＵＩ出力部２１０１は、パラメータ変更後の表示画面２２０１（図２５）を表示する。
【０１６２】
図２５に示すように、対象信号ｒの送信電力の増加により、対象信号ｒの表示枠の表示位置は、増加させた電力分だけＲＳＳＩの値が高くなる（図中上方向に移動する）。また、他の複数の干渉信号ｘは、いずれも表示枠の表示位置は同じ位置であるが、対象信号ｒの送信電力の増加に基づき、それぞれ干渉影響度が再計算され表示される。
【０１６３】
例えば、干渉対策前（図２２）で対象信号ｒ近傍で干渉影響が高かった干渉信号ｘ４は、対策後（図２５）では、干渉影響度が低く変更して表示されている。また、対象信号ｒの送信電力の増加に対応してＲＳＳＩ閾値２２０４も同様に図の上方に移動して表示され、対応して、干渉信号ｘ４、ｘ５による干渉影響度が低く変更して表示されている。
【０１６４】
これにより、ユーザは、対象信号ｒの送信電力を増加させることで、干渉影響を低減できることを容易に判断できるようになる。図２５に示す表示は、電波干渉解析装置１００内部のパラメータ変更のみで判断できるものであり、実際に評価対象Ｒの送信電力を増加させる等の煩わしい操作を行わずに行える。
【０１６５】
このように、実施の形態７によれば、評価対象Ｒの対象信号ｒに干渉する干渉信号ｘを考慮して演算したＰＥＲに基づき、これら対象信号ｒと各干渉信号ｘの周波数（ｃｈ）とＲＳＳＩを組み合わせた表示枠の表示画面を表示出力しユーザに提示する。これにより、ユーザは、表示画面を見るだけで、対象信号ｒの干渉影響を低減する対策として、周波数変更、あるいは送信電力変更等のいずれが有効であるかを容易に把握できるようになる。また、周波数や送信電力の変更後の干渉状態をシミュレーションにより再度表示確認できるため、ユーザは、対象信号ｒの評価対象Ｒの実際の調整操作を不要にでき、簡単に対策の有効性を確認できるようになる。
【０１６６】
（実施の形態８）
実施の形態８では、無線システムが複数ある場合に、それぞれの無線システム（ネットワークＮＷ）視点でＧＵＩ表示する構成である。電波干渉解析装置１００のＧＵＩ表示にかかる基本構成（図２１）は、実施の形態７と同様である。
【０１６７】
また、電波干渉解析装置１００の信号情報保存部２０２における無線システム（ネットワーク）別の情報保存と、ネットワーク変更に伴うＰＥＲの演算処理は、上述した実施の形態（図１２Ａ，図１２Ｂ参照）に相当する。複数の無線システム、すなわち、複数の評価対象Ｒの対象信号ｒのＰＥＲ演算は、ある一つの無線システム（ＮＷ−１の評価対象Ｒ）と、それ以外の干渉源Ｘとを切り分けて行う。また、異なる他の一つの無線システム（ＮＷ−２の評価対象Ｒ）と、それ以外の干渉源Ｘとを切り分けて行う。
【０１６８】
図２６は、実施の形態８にかかる電波干渉解析装置による無線システム別の干渉状態の表示例を示す図である。図２６（ａ）は、ある無線システム（ＮＷ−１）視点での表示画面２２０１を示す。この場合、ＧＵＩ出力部２１０１は、ユーザが指定した無線システム（ＮＷ−１）の評価対象Ｒを対象信号ｒ１とし、この対象信号ｒ１以外の無線システムの干渉信号ｘを全て干渉源Ｘとした表示画面２２０１を表示する。
【０１６９】
図２６（ｂ）は、他の無線システム（ＮＷ−２）視点での表示画面２２０１を示す。この場合、ＧＵＩ出力部２１０１は、ユーザが指定した無線システム（ＮＷ−２）の評価対象Ｒを対象信号ｒ２とし、この対象信号ｒ２以外の無線システムの干渉信号ｘを全て干渉源Ｘとした表示画面２２０１を表示する。
【０１７０】
図２７は、実施の形態８にかかる電波干渉解析装置の表示に基づく干渉対策を説明する図である。図２７は、図２６と同じ表示画面２２０１である。図２７（ａ）に示す無線システム（ＮＷ−１）の表示画面２２０１によれば、対象信号ｒ１は、隣接するｃｈを含め他のいずれのｃｈにおいても高い影響度の干渉信号ｘ（ｘ４、ｘ５等）が存在していることが表示されている。この場合、ユーザは、対象信号ｒ１のｃｈ変更による干渉影響低減の効果は低いことが把握できる。
【０１７１】
一方、対象信号ｒ１の送信出力（ＲＳＳＩ）を少し増加させれば、高い影響度の干渉信号ｘ（ｘ３、ｘ４等）による干渉が抑制可能であることが表示され、ユーザはこれを把握できる。
【０１７２】
そして、図２６（ａ）の表示画面２２０１に基づき、ユーザが無線システム（ＮＷ−１）の評価対象Ｒの対象信号ｒ１に対する送信出力を増加させるパラメータ変更を行ったとする。ＧＵＩ入力部２１０２は、ユーザ入力によるパラメータ入力（送信出力の増加）に基づき、信号情報保存部２０２に保存されている無線システム（ＮＷ−１）の対象信号ｒ１に関するパラメータ（電力）の値を変更する。これにより、電波干渉解析装置１００（端末装置１０１）は、一連のＰＥＲ演算にかかる処理を実行し（図８参照）、新たなＰＥＲを求める。そして、ＧＵＩ出力部２１０１は、パラメータ変更後の表示画面２２０１（図２７（ａ））を表示する。
【０１７３】
図２７（ａ）に示すように、対象信号ｒ１の送信電力の増加により、対象信号ｒ１の表示枠の表示位置は、増加させた電力分だけＲＳＳＩの値が高くなる（図中上方向に移動する）。また、他の複数の干渉信号ｘは、いずれも表示枠の表示位置は同じ位置であるが、対象信号ｒ１の送信電力の増加に基づき、それぞれ干渉影響度が再計算され表示される。
【０１７４】
例えば、対策前（図２６（ａ））で対象信号ｒ１近傍で干渉影響が高かった干渉信号ｘ４は、対策後（図２７（ａ））では、干渉影響度が低く変更して表示されている。また、対象信号ｒ１の送信電力の増加に対応してＲＳＳＩ閾値２２０４も同様に図の上方に移動して表示され、対応して、干渉信号ｘ４，ｘ６による干渉影響度が低く変更して表示されている。
【０１７５】
この後、図２７（ｂ）に示すように、表示画面２２０１を他の無線システム（ＮＷ−２）の視点に切り替えたとする。この際、ＧＵＩ出力部２１０１は、図２７（ａ）の表示画面の状態を保持して表示する。無線システム（ＮＷ−２）の対象信号ｒ２を視点としたとき、上記のようにＮＷ−１の対象信号ｒ１に対して行った変更（送信電力増加）を保持して表示する。
【０１７６】
この場合、図２７（ｂ）に示すように、ＮＷ−２の対象信号ｒ２は、ＮＷ−１の対象信号ｒ１に対して行った変更（送信電力増加）による干渉の影響を受けることが示されている。対応して干渉影響計情報２２０３の値も図２６（ｂ）よりも高い値となっている。このように、複数の無線システムの一部に対して行った干渉影響の抑制が他の無線システムに対して干渉影響となることを確認できるようになる。
【０１７７】
図２８は、実施の形態８にかかる電波干渉解析装置の表示に基づく干渉対策後の表示例を示す図である。図２７（ａ）、（ｂ）それぞれの表示画面２２０１の表示に基づいて、ユーザが異なる無線システム（ＮＷ−１，ＮＷ−２）の対象信号ｒ１、ｒ２のいずれに対しても干渉影響を抑制するパラメータ変更を行った後の表示画面２２０１を示す。
【０１７８】
ＧＵＩ入力部２１０２は、ユーザ入力によるパラメータ入力（送信出力の増加等）に基づき、信号情報保存部２０２に保存されている対象信号ｒに関するパラメータ（電力）の値を変更する。これにより、電波干渉解析装置１００（端末装置１０１）は、一連のＰＥＲ演算にかかる処理を実行し（図８参照）、新たなＰＥＲを求める。そして、ＧＵＩ出力部２１０１は、パラメータ変更後の表示画面２２０１（図２８）を表示する。
【０１７９】
図２８（ａ）に示すように、一方の無線システム（ＮＷ−１）側の送信電力をやや増加させるパラメータ変更を行ったとする。この際、ユーザは、他の無線システム（ＮＷ−２）の対象信号ｒ２に対する影響を軽減できる程度に一方の無線システム（ＮＷ−１）側の送信電力をやや増加させたとする。
【０１８０】
この場合、表示画面２２０１上での対象信号ｒ１の表示枠の表示位置は、増加させた電力分だけＲＳＳＩの値が高くなる（図２７（ａ）のユーザ操作時より低い位置に移動）。また、他の複数の干渉信号ｘは、いずれも表示枠の表示位置は同じ位置であるが、対象信号ｒの送信電力の増加に基づき、それぞれ干渉影響度が再計算され表示される。
【０１８１】
この後、図２８（ｂ）に示すように、他方の無線システム（ＮＷ−２）側の視点に切り替えたとする。この場合の表示画面２２０１上では、対象信号ｒ２は、一方の無線システム（ＮＷ−１）の対象信号ｒ１に対して行った送信電力増加に基づく干渉影響を軽減できる状態であることが示されている。対応して干渉影響計情報２２０３の値も図２７（ｂ）よりも低い値となっている。
【０１８２】
このように、複数の無線システム（ＮＷ−１，ＮＷ−２）のそれぞれの視点で表示画面２２０１を切り替えることができる。この際、対象信号ｒ１，ｒ２の一方の対象信号ｒ１の送信電力増加等のパラメータ変更によって、他の対象信号ｒ２視点で対象信号ｒ１が新たな干渉源となる場合、その旨をＧＵＩで表示出力できる。これにより、ユーザは、複数の無線システム間で他に干渉影響を与えるか否かをパラメータの変更によるシミュレーションで容易に確認できるようになる。
【０１８３】
図２９Ａ，図２９Ｂは、実施の形態８にかかる電波干渉解析装置が行う干渉対策の処理例を示すフローチャートである。これらの図において、ステップＳ２９０２〜ステップＳ２９０９までの処理、およびステップＳ２９１２〜ステップＳ２９１９までの処理は、それぞれ実施の形態１（図８参照）のステップＳ８０１〜ステップＳ８０７と同様である。
【０１８４】
はじめに、図２９Ａに示すように、ユーザ入力により、端末装置１０１は、対象信号をある無線システム（ＮＷ−１）の対象信号ｒ１として入力情報を更新する（ステップＳ２９０１ａ）。
【０１８５】
以下、無線部１０２（無線電波可視化部２０１）による所定の観測時間で電測を行い、各信号、すなわち、対象信号ｒ１と干渉信号ｘそれぞれのパラメータ（電力、ＭＡＣ方式、送信間隔、パケット長）を取得する（ステップＳ２９０２ａ，ステップＳ２９０２ｂ）。この際、ユーザ入力された対象信号を対象信号ｒ１とし、対象信号ｒ１以外の干渉源Ｘによる干渉信号を干渉信号ｘとしてそれぞれパラメータを取得する。
【０１８６】
以下、端末装置１０１（ＣＰＵ３０１）は、ＮＷ−１の対象信号ｒ１のＰＥＲ算出の各処理を実行する（ステップＳ２９０３〜ステップＳ２９０８）。
【０１８７】
これにより、ＧＵＩ出力部２１０１は、ＰＥＲｉおよびＰＥＲの情報に基づき、図２６に示したＧＵＩの表示画面２２０１を表示する（ステップＳ２９０９）。この際、端末装置１０１（ＣＰＵ３０１）は、表示画面２２０１上に、複数の干渉源Ｘｉと対象信号ｒについて、周波数とＲＳＳＩを示す表示枠を表示する。また、干渉影響計情報２２０３とＲＳＳＩ閾値２２０４も表示する。
【０１８８】
表示画面２２０１により、ユーザは、ＮＷ−１の対象信号ｒ１に対する干渉の影響度別の干渉源Ｘを判断できるようになる。そして、ユーザは、対象信号ｒ１に対する干渉抑制のために対象信号ｒ１のｃｈ（周波数）変更、あるいは、送信出力の変更を判断できる。この判断に対応して、ユーザが対象信号ｒ１のｃｈ（周波数）変更、あるいは、送信出力を変更した場合、ステップＳ２９０１ａによる入力情報更新を行う。この入力情報の行使音に対応して、変更した対象信号ｒ１のパラメータ（送信電力等）を用いたＰＥＲ算出の処理が再度行われる（ステップＳ２９０３〜ステップＳ２９０８の処理）。
【０１８９】
そして、ＧＵＩ出力部２１０１は、ＰＥＲｉおよびＰＥＲの情報に基づき、図２７（ａ）に示したＮＷ−１の対象信号ｒ１の視点でＧＵＩの表示画面２２０１を表示する（ステップＳ２９０９）。
【０１９０】
この後、図２９Ｂに示すように、ユーザ入力により、端末装置１０１は、対象信号をある無線システム（ＮＷ−２）の対象信号ｒ２として入力情報を更新する（ステップＳ２９０１ｂ）。
【０１９１】
以下、無線部１０２（無線電波可視化部２０１）による所定の観測時間で電測を行い、各信号、すなわち、対象信号ｒ２と干渉信号ｘそれぞれのパラメータ（電力、ＭＡＣ方式、送信間隔、パケット長）を取得する（ステップＳ２９１２ａ，ステップＳ２９１２ｂ）。この際、ユーザ入力された対象信号を対象信号ｒ２とし、対象信号ｒ２以外の干渉源Ｘによる干渉信号を干渉信号ｘとしてそれぞれパラメータを取得する。また、以前に行ったパラメータ変更、すなわち、対象信号ｒ１に対する送信電力の変更等があれば、対象信号ｒ１に相当する干渉信号ｘの送信電力は変更後の値が用いられる。
【０１９２】
以下、端末装置１０１（ＣＰＵ３０１）は、ＮＷ−２の対象信号ｒ２のＰＥＲ算出の各処理を実行する（ステップＳ２９１３〜ステップＳ２９１８）。
【０１９３】
これにより、ＧＵＩ出力部２１０１は、ＰＥＲｉおよびＰＥＲの情報に基づき、図２７（ｂ）に示したＮＷ−２の対象信号ｒ２の視点でＧＵＩの表示画面２２０１を表示する（ステップＳ２９１９）。
【０１９４】
表示画面２２０１により、ユーザは、ＮＷ−２の対象信号ｒ２に対する干渉の影響度別の干渉源Ｘを判断できるようになる。そして、ユーザは、対象信号ｒ２に対する干渉抑制のために、以前に行った対象信号ｒ１のｃｈ（周波数）変更、あるいは、送信出力を変更の適否を判断できる。
【０１９５】
ユーザは、図２７（ｂ）に示されたＮＷ−２の視点で対象信号ｒ２に対する干渉信号ｘの影響に基づき、対策を容易に判断できる。例えば、対象信号ｒ１に対する送信出力の変更を再度変更する場合、図２９Ａに示した入力情報更新（ステップＳ２９０１ａ）により対象信号ｒ１のパラメータを変更して、再度図２９Ａ（ステップＳ２９０２〜ステップＳ２９０９）の処理を実行する。これにより、例えば、図２８（ｂ）に示したように、ＮＷ−２の対象信号ｒ２がＮＷ−１の対象信号ｒ１の干渉の影響を抑制できるようになる。
【０１９６】
このように、実施の形態８によれば、実施の形態７の作用効果に加えて、複数の無線システム（ＮＷ−１，ＮＷ−２）の対象信号ｒ１，ｒ２の視点での干渉の影響を容易に把握できるようになる。これにより、ある対象信号ｒ１のパラメータ変更が他の対象信号ｒ２に対して新たな干渉影響を与える場合には、これをシミュレーションにより事前にユーザに提示できるようになる。この際、ユーザは、複数の対象信号ｒ１，ｒ２それぞれの評価対象Ｒの実際の調整操作を不要にでき、簡単に無線システムにおける干渉対策の有効性を確認できるようになる。
【０１９７】
（実施の形態９）
実施の形態９では、電波干渉解析装置１００上で実施の形態７で説明したＧＵＩ表示を行うだけではなく、ＧＵＩの表示画面２２０１上でユーザ操作によるパラメータ入力を行う構成である。対象信号ｒに対する干渉信号ｘの干渉によるＰＥＲ演算の構成は、実施の形態１〜６と同様である。
【０１９８】
この実施の形態９は、上述したＧＵＩ表示にかかる実施の形態７，８の構成に加えた構成にできる。例えば、ＧＵＩ出力部２１０１の表示画面２２０１上に透明なタッチパネル等で構成されたＧＵＩ入力部２１０２を用いて構成できる。
【０１９９】
図３０は、実施の形態９にかかる電波干渉解析装置のＧＵＩ表示上での操作入力を説明する図である。ＧＵＩ出力部２１０１により対象信号ｒおよび干渉信号ｘの表示枠がそれぞれ表示されている。この状態で、ＧＵＩ入力部２１０２により対象信号ｒの表示枠の位置をドラッグ操作等で移動させることができる。
【０２００】
図３０に示す例では、対象信号ｒの表示枠を複数の干渉信号ｘの表示枠に重ならない新たな位置３００１に移動させた状態である。この際、ＧＵＩ入力部２１０２は、対象信号ｒについて、新たな位置に対応するパラメータ（周波数と送信電力）を信号情報保存部２０２に更新記憶する。この際、信号情報保存部２０２の導入システム情報保存部２１１に保存してある対象信号ｒのパラメータ（周波数と送信電力）を更新する。
【０２０１】
図３１は、実施の形態９にかかる電波干渉解析装置が行うＧＵＩ入力による干渉対策の処理例を示すフローチャートである。図３１に示す処理は、ユーザが対象信号ｒに対する干渉対策が所定の要件を満たしたと判断する（ステップＳ３１１０：Ｙｅｓ）までの間、ループ処理（ステップＳ３１０１〜ステップＳ３１１３）を継続する。
【０２０２】
この図において、ステップＳ３１０２〜ステップＳ３１０８までの処理は、実施の形態１（図８参照）のステップＳ８０１〜ステップＳ８０７と同様である。
【０２０３】
電波干渉解析装置１００は、ステップＳ３１０２以下の処理を実行することで、対象信号ｒと干渉信号ｘそれぞれのパラメータ（電力、ＭＡＣ方式、送信間隔、パケット長）を取得し、対象信号ｒのＰＥＲ算出の各処理を実行する。これにより、ＧＵＩ出力部２１０１は、ＰＥＲｉおよびＰＥＲの情報に基づき、図３０に示したＧＵＩの表示画面２２０１を表示する（ステップＳ３１０９）。この際、端末装置１０１（ＣＰＵ３０１）は、表示画面２２０１上に、複数の干渉源Ｘｉと対象信号ｒについて、周波数とＲＳＳＩを示す表示枠を表示する。また、干渉影響計情報２２０３とＲＳＳＩ閾値２２０４も表示する。
【０２０４】
表示画面２２０１により、ユーザは、対象信号ｒに対する干渉の影響度別の干渉源Ｘを判断できるようになる。表示画面２２０１の表示により、干渉対策が所定の要件を満たしているとユーザが判断した場合には（ステップＳ３１１０：Ｙｅｓ）、以上の処理を終了する。
【０２０５】
一方、干渉対策が所定の要件を満たしていないとユーザが判断した場合（ステップＳ３１１０：Ｎｏ）、干渉対策案をユーザ入力する（ステップＳ３１１１）。この際、ユーザは、ＧＵＩ入力部２１０２を操作して図３０の表示画面２２０１上で対象信号ｒのパラメータを変更する。
【０２０６】
このユーザ操作に対応して、端末装置１０１（ＣＰＵ３０１）は、対象信号ｒのパラメータを変更し、変更後の値を信号情報保存部２０２に更新保存する（ステップＳ３１１２）。以下、端末装置１０１（ＣＰＵ３０１）は、ステップＳ３１０２以下の処理を再度実行し、この際、対象信号ｒについては更新後のパラメータを用いる。
【０２０７】
上記処理において、例えば、ステップＳ３１１１による干渉対策案として、ユーザが図３０に示すように、対象信号ｒの表示枠を複数の干渉信号ｘの表示枠に重ならない新たな位置３００１に移動させたとする。
【０２０８】
この場合、ステップＳ３１１２では、端末装置１０１（ＣＰＵ３０１）は、対象信号ｒのパラメータについて新たな位置３００１に対応する新たな周波数と送信電力の値を信号情報保存部２０２に更新保存する。これにより、ステップＳ３１０２以下のシミュレーション処理を再度実行することで、ステップＳ３１０９では対象信号ｒが新たな位置３００１に位置したときの周波数と送信電力で干渉状態を表示する。また、干渉影響計情報２２０３についても新たな値に変更して表示する。
【０２０９】
そして、ユーザは、ＧＵＩ出力部２１０１の表示画面２２０１を見て、対象信号ｒのパラメータ変更で行った後の結果が所定の要件を満たしていると判断すれば（ステップＳ３１１０：Ｙｅｓ）、以上の処理を終了できる。
【０２１０】
図３２は、実施の形態９にかかる電波干渉解析装置が保持する情報の更新例を示す図表である。ＧＵＩ入力部２１０２により対象信号ｒのパラメータ変更を説明する。上述の説明では、ＧＵＩ入力部２１０２のドラッグ操作に対応して、周波数と送信電力を更新した。この場合、ＧＵＩ入力部２１０２は、信号情報保存部２０２の導入システム情報保存部２１１に保存してある対象信号ｒのパラメータ（周波数と送信電力）を更新する。
【０２１１】
図３２に示すように、信号情報保存部２０２に保存する対象信号ｒのパラメータとしては、電力（送信電力）、ＭＡＣ方式、送信間隔、パケット長等、がある。したがって、ステップＳ３１１１における対策案としては、これら対象信号ｒのパラメータを一つあるいは複数を組み合わせて変更することができる。
【０２１２】
図３２の例では、対象信号ｒの電力と送信間隔を変更する状態が示されている。この場合、例えば、ユーザは、ＧＵＩ入力部２１０２の表示画面２２０１上のドラッグ操作で電力（ＲＳＳＩ）を変更する。また、ＧＵＩ出力部２１０１が現在の送信間隔をスライダ表示し、ＧＵＩ入力部２１０２によりスライダ操作で送信間隔を変更することができる。このように、複数のパラメータをＧＵＩ操作により容易に変更することができる。
【０２１３】
以上説明した実施の形態９によれば、実施の形態７によるＧＵＩ出力の作用効果に加えて、ＧＵＩ入力により干渉対策を簡単に行えるようになる。例えば、実施の形態７で説明したＧＵＩ出力の表示画面により、対象信号ｒと各干渉信号ｘの周波数（ｃｈ）とＲＳＳＩを組み合わせた表示枠の表示画面を表示出力しユーザに提示する。そして、ＧＵＩ入力では、表示画面を見て対象信号の表示枠を干渉信号の表示枠に重ならない新たな位置に移動させることで、対象信号の対応するパラメータである周波数変更、あるいは送信電力変更等を同時に行える。さらに、変更したパラメータを用いて再度シミュレーションを実行することができる。これにより、ユーザは、対象信号ｒの評価対象Ｒの実際の調整操作を不要にでき、簡単に対策の有効性を確認できるようになる。
【０２１４】
（実施の形態１０）
実施の形態１０は、実施の形態８で説明した複数の無線システム（ＮＷ−１，ＮＷ−２）のＧＵＩ出力と、実施の形態９で説明したＧＵＩ入力との組み合わせの構成である。
【０２１５】
図３３Ａ，図３３Ｂは、実施の形態１０にかかる電波干渉解析装置が行う干渉対策の処理例を示すフローチャートである。図３３Ａにおいて、ステップＳ３３０２ａ〜ステップＳ３３１０までの処理は、実施の形態８のステップＳ２９０１ｂ〜ステップＳ２９０９（図２９Ａ）と同様である。また、図３３ＢのステップＳ３３０２ｂ〜ステップＳ３３２０までの処理は、実施の形態８のステップＳ２９０１ｂ〜ステップＳ２９１９（図２９Ｂ）と同様である。また図３３Ａに示すステップＳ３３０１、ステップＳ３３２１ａ〜ステップＳ３３２４の処理は、実施の形態９のステップＳ３１０１、ステップＳ３１１０〜３１１３（図３１）と同様である。
【０２１６】
実施の形態１０によれば、実施の形態８のＧＵＩ出力による複数の無線システム（ＮＷ−１，ＮＷ−２）の対象信号ｒ１，ｒ２の視点での干渉の影響を容易に把握できる作用効果が得られる。加えて、実施の形態９のＧＵＩ入力により干渉対策を簡単に行えるようになる。そして、複数の無線システムの場合に、ある一つの無線システムの対象信号ｒ１のパラメータ変更が他の対象信号ｒ２に対して新たな干渉影響を与える場合等についてもＧＵＩ画面上で容易に確認できる。そして、ＧＵＩ入力による再度のシミュレーションにより事前にユーザに提示できるようになる。
【０２１７】
以上説明した各実施の形態によれば、評価対象の対象信号が複数の干渉源の干渉信号の影響を受けることを考慮し、各干渉源別のＰＥＲｉと、干渉源ＰＥＲｉの全てのＰＥＲとをそれぞれ求める。これにより干渉信号ｘの占有率とＳＩＮＲを考慮して対象信号のＰＥＲをより正確に求めることができる。
【０２１８】
例えば、ＰＥＲｉの算出は、対象信号と干渉信号の衝突率Ｒｉと、衝突時ＥＲｉを用いて算出する。衝突率Ｒｉは、干渉信号および対象信号のパラメータとして、ＭＡＣ方式、パケット長、送信間隔等を用い、ＣＳＭＡ／ＣＡの有無を判断して算出する。また、衝突時ＥＲｉは、ＳＩＮＲに加えてパラメータとして、変調方式および検波方式、パケットのビット数等を用いて算出する。これにより、干渉信号ｘの占有率とＳＩＮＲの両方を考慮したＰＥＲを算出できる。同じＳＩＮＲであっても、干渉源の占有率によってＰＥＲは異なるが、実施の形態によれば、占有率とＳＩＮＲに基づき正確なＰＥＲを求めることができる。また、各干渉源ＸのＰＥＲｉが得られるため、対象信号ｒに対する干渉の影響量を干渉源Ｘ毎に具体的に把握できるようになり、効果的な干渉対策が行えるようになる。そして、対象信号ｒに対してどの干渉信号ｘがＰＥＲの劣化に影響を与えているかを容易に判断でき、例えば、新たな無線機器の導入箇所での干渉を導入以前の段階で事前に解消できる。
【０２１９】
また、評価対象Ｒは、実際に設置するに限らず、対象信号のパラメータを変更することで、シミュレーションすることができる。
【０２２０】
また、対象信号ｒに対する干渉信号ｘの干渉対策を効果的に行うためのＧＵＩを提供できる。ＧＵＩの表示画面として、干渉信号ｘの無線規格、ｃｈ、ＲＳＳＩ、占有率等と、対象信号ｒの無線規格、ｃｈ、ＲＳＳＩ等に基づき、対象信号ｒと干渉信号ｘをそれぞれＧＵＩ表示する。例えば、ＧＵＩ出力部は、対象信号ｒと複数の干渉信号ｘをそれぞれｃｈとＲＳＳＩからなる表示枠で表示する。また、対象信号ｒに対する干渉の影響度に応じて干渉信号ｘを色、濃淡、点滅等でＧＵＩ表示する。これにより、対象信号ｒと干渉信号ｘのそれぞれの通信状態をリアルタイムに表示でき、例えば、対象信号ｘのｃｈや電力変更等、適切な干渉対策を施すことができるようになる。
【０２２１】
また、ＧＵＩ入力により、干渉対策を行った後の状態をシミュレーションできる。例えば、ＧＵＩの表示画面にしたがい、対象信号ｒの表示枠を干渉信号ｘの表示枠と重ならない位置に移動するドラッグ操作により、変更した対象信号ｒのパラメータ（ｃｈ、電力）を変更したシミュレーションを再度実行しユーザに提示できる。
【０２２２】
これらにより、評価対象Ｒを新たに導入設置する際に、この評価対象Ｒの対象信号ｒが干渉源Ｘの干渉信号ｘによって受ける干渉に対する対策を適切に行えるようになる。また、評価対象Ｒを新たに導入設置するに限らず、既存の特定の無線機（評価対象Ｒ）に対する他の干渉源Ｘによる干渉状態の確認、および干渉抑制の対策も同様に行える。
【０２２３】
なお、本実施の形態で説明した電波干渉の解析にかかる方法は、あらかじめ用意された制御プログラムを対象機器（上記電波干渉解析装置）等のコンピュータ（ＣＰＵ等）が実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【０２２４】
上述した実施の形態に関し、さらに以下の付記を開示する。
【０２２５】
（付記１）受信点における評価対象の無線機の対象信号に対する複数の干渉源の干渉信号の干渉状態を解析する電波干渉解析装置であって、
前記対象信号が一つの前記干渉信号に衝突し、前記受信点で対象信号が受信失敗する確率と、複数の前記干渉源の前記干渉信号のいずれかによって前記受信点で前記対象信号が受信失敗する確率と、をそれぞれ算出し出力する制御部、
を備えたことを特徴とする電波干渉解析装置。
【０２２６】
（付記２）前記制御部は、
前記対象信号が一つの前記干渉信号に衝突し、前記受信点で対象信号が受信失敗する確率を、前記干渉源と前記評価対象が時間的に重複する確率と、前記時間的に重複したときに前記対象信号が受信失敗する確率と、に基づき算出することを特徴とする付記１に記載の電波干渉解析装置。
【０２２７】
（付記３）前記制御部は、
前記干渉源と前記評価対象が時間的に重複する確率を、前記干渉源と前記評価対象それぞれの無線規格、パケット長、送信間隔に基づき算出することを特徴とする付記２に記載の電波干渉解析装置。
【０２２８】
（付記４）前記制御部は、
前記干渉源と前記評価対象の無線規格として、前記干渉信号が周期的に送信され、前記干渉信号と前記対象信号のキャリアセンスの有無の情報に基づき、前記干渉源と前記評価対象が時間的に重複する確率を算出することを特徴とする付記３に記載の電波干渉解析装置。
【０２２９】
（付記５）前記制御部は、
前記時間的に重複したときに前記対象信号が受信失敗する確率を、前記対象信号と前記干渉信号の電波強度の比に基づくＳＩＮＲ（Ｓｉｇｎａｌ−ｔｏ−Ｉｎｔｅｒｆｅｒｅｎｃｅ−ｐｌｕｓ−Ｎｏｉｓｅ  Ｒａｔｉｏ）を算出し、当該ＳＩＮＲと前記対象信号の無線方式からＢＥＲ（Ｂｉｔ  Ｅｒｒｏｒ  Ｒａｔｅ）を算出し、当該ＢＥＲに基づき、１パケットのビット数のうち衝突する衝突ビット数を算出する、ことで求めることを特徴とする付記２に記載の電波干渉解析装置。
【０２３０】
（付記６）前記制御部は、
前記衝突ビット数を、前記干渉信号の送信間隔と、前記対象信号のパケット長の組み合わせ別の衝突時間と、前記対象信号のビットレートに基づき算出することを特徴とする付記５に記載の電波干渉解析装置。
【０２３１】
（付記７）前記制御部は、
複数の前記干渉源のうち一つを前記評価対象とする設定時、当該評価対象以外を干渉源として識別し、
前記評価対象の前記対象信号に対する前記干渉源の干渉信号による干渉状態を解析することを特徴とする付記１〜６のいずれか一つに記載の電波干渉解析装置。
【０２３２】
（付記８）前記受信点において所定の観測時間、前記対象信号と前記干渉信号をそれぞれ受信し、前記制御部に出力する無線部を備えたことを特徴とする付記１〜７のいずれか一つに記載の電波干渉解析装置。
【０２３３】
（付記９）前記制御部は、
前記干渉信号の無線規格、信号強度、周波数帯域に基づき、前記干渉信号別の干渉源を推定することを特徴とする付記１〜８のいずれか一つに記載の電波干渉解析装置。
【０２３４】
（付記１０）前記制御部は、
前記評価対象を導入箇所に設置しない状態で、前記評価対象の前記対象信号の無線規格、電波強度、周波数帯域、パケット長の情報の入力に基づき、前記対象信号が一つの前記干渉信号に衝突し、前記受信点で対象信号が受信失敗する確率と、複数の前記干渉源の前記干渉信号のいずれかによって前記受信点で前記対象信号が受信失敗する確率とをそれぞれ算出することを特徴とする付記１〜９のいずれか一つに記載の電波干渉解析装置。
【０２３５】
（付記１１）さらに、電波伝搬シミュレーション部を含み、
前記電波伝搬シミュレーション部は、
前記評価対象および前記干渉源を導入箇所に設置しない状態で、導入箇所のレイアウト、前記評価対象および前記干渉源の無線規格の情報に基づき、前記受信点における前記対象信号および前記干渉信号の電波強度をそれぞれシミュレーション出力し、
前記制御部は、
前記電波伝搬シミュレーション部の出力に基づき、前記対象信号が一つの前記干渉信号に衝突し、前記受信点で対象信号が受信失敗する確率と、複数の前記干渉源の前記干渉信号のいずれかによって前記受信点で前記対象信号が受信失敗する確率とをそれぞれ算出することを特徴とする付記１〜１０のいずれか一つに記載の電波干渉解析装置。
【０２３６】
（付記１２）前記制御部は、
複数の前記干渉源の前記干渉信号のいずれかによって前記受信点で前記対象信号が受信失敗する確率を、前記対象信号の周波数、あるいは電力を変更してそれぞれ算出することを特徴とする付記１〜１１のいずれか一つに記載の電波干渉解析装置。
【０２３７】
（付記１３）前記制御部は、
前記評価対象と前記干渉源のそれぞれについて、信号受信が失敗する確率を算出し、前記評価対象と前記干渉源に対して要求する性能および所定の条件を用いた最適化アルゴリズムに基づく演算を行い、前記要求に適合した解を出力することを特徴とする付記１〜１２のいずれか一つに記載の電波干渉解析装置。
【０２３８】
（付記１４）前記制御部は、
前記対象信号が一つの前記干渉信号に衝突し、前記受信点で対象信号が受信失敗する確率を、複数の干渉源についてそれぞれ算出し、前記確率が最も大きい前記干渉源を特定することを特徴とする付記１〜１３のいずれか一つに記載の電波干渉解析装置。
【０２３９】
（付記１５）さらに、ＧＵＩ（Ｇｒａｐｈｉｃａｌ  Ｕｓｅｒ  Ｉｎｔｅｒｆａｃｅ）出力部（２１０１）を含み、
前記ＧＵＩ出力部は、前記制御部の算出結果を表示することを特徴とする付記１〜１４のいずれか一つに記載の電波干渉解析装置。
【０２４０】
（付記１６）前記ＧＵＩ出力部は、
前記干渉信号の無線規格、周波数、電波強度、占有率と、前記対象信号の無線規格、周波数、電波強度に関する情報を表示出力することを特徴とする付記１５に記載の電波干渉解析装置。
【０２４１】
（付記１７）前記ＧＵＩ出力部は、
周波数および電波強度の軸の表示画面上に、前記対象信号と複数の前記干渉信号の周波数と電波強度を組み合わせた所定領域の表示枠で表示することを特徴とする付記１５または１６に記載の電波干渉解析装置。
【０２４２】
（付記１８）前記ＧＵＩ出力部は、
さらに、前記表示画面上に、前記対象信号が複数の前記干渉信号によって受ける干渉影響度情報と、前記対象信号の電波強度に対応し、干渉影響を除外できる前記干渉信号を識別するための電波強度閾値と、を表示することを特徴とする付記１６または１７に記載の電波干渉解析装置。
【０２４３】
（付記１９）前記ＧＵＩ表示部は、
前記対象信号に対する干渉の影響度にしたがって、複数の前記干渉信号の前記表示枠を段階的に強調表示することを特徴とする付記１７または１８に記載の電波干渉解析装置。
【０２４４】
（付記２０）さらに、ＧＵＩ入力部を含み、
前記ＧＵＩ出力部の表示画面に基づくユーザ操作による前記対象信号の前記表示枠の移動時、当該移動量に対応する前記対象信号の周波数と電波強度の値を変更し、
前記制御部に対し、前記干渉状態の解析処理を再度実行させることを特徴とする付記１５〜１９のいずれか一つに記載の電波干渉解析装置。
【０２４５】
（付記２１）前記ＧＵＩ出力部と、前記ＧＵＩ入力部は、タッチパネルで構成され、
前記タッチパネルの前記表示画面上で、前記対象信号の前記表示枠の移動操作に対応し、当該移動方向上の前記対象信号の周波数あるいは電波強度の値を変更することを特徴とする付記２０に記載の電波干渉解析装置。
【０２４６】
（付記２２）前記ＧＵＩ出力部は、
前記対象信号の前記表示枠の移動操作に対応し、移動操作後の前記対象信号が複数の前記干渉信号によって受ける干渉影響度情報と、前記対象信号の電波強度に対応し、干渉影響を除外できる前記干渉信号を識別するための電波強度閾値と、を更新表示することを特徴とする付記２０または２１に記載の電波干渉解析装置。
【０２４７】
（付記２３）前記ＧＵＩ出力部は、
前記対象信号の前記表示枠の移動操作により、前記電波強度閾値より低い電波強度の前記干渉信号の前記表示枠を、干渉影響がない旨の強調表示に更新することを特徴とする付記２２に記載の電波干渉解析装置。
【０２４８】
（付記２４）受信点における評価対象の無線機の対象信号に対する複数の干渉源の干渉信号の干渉状態を解析する電波干渉解析方法であって、
前記対象信号が一つの前記干渉信号に衝突し、前記受信点で対象信号が受信失敗する確率と、複数の前記干渉源の前記干渉信号のいずれかによって前記受信点で前記対象信号が受信失敗する確率とをそれぞれ算出し出力する、
処理をコンピュータが実行することを特徴とする電波干渉解析方法。
【０２４９】
（付記２５）前記対象信号が一つの前記干渉信号に衝突し、前記受信点で対象信号が受信失敗する確率を、
前記干渉源と前記評価対象が時間的に重複する確率と、
前記時間的に重複したときに前記対象信号が受信失敗する確率と、
に基づき算出することを特徴とする付記２４に記載の電波干渉解析方法。
【０２５０】
（付記２６）受信点における評価対象の無線機の対象信号に対する複数の干渉源の干渉信号の干渉状態を解析する電波干渉解析プログラムであって、
前記対象信号が一つの前記干渉信号に衝突し、前記受信点で対象信号が受信失敗する確率と、複数の前記干渉源の前記干渉信号のいずれかによって前記受信点で前記対象信号が受信失敗する確率とをそれぞれ算出し出力する、
処理をコンピュータに実行させることを特徴とする電波干渉解析プログラム。
【符号の説明】
【０２５１】
１００  電波干渉解析装置
１０１  端末装置
１０２  無線部
２０１  無線電波可視化部
２０２  信号情報保存部
２０３  送信源解析部
２０４  パケット長・送信間隔演算部
２０５  衝突率Ｒｉ演算方法記憶部
２０６  衝突率Ｒｉ演算部
２０７  衝突時ＥＲｉ演算方法記憶部
２０８  衝突時ＥＲｉ演算部
２０９  ＰＥＲ演算部
２１１  導入システム情報保存部
２１２  干渉波情報保存部
３０１  ＣＰＵ
３０２  ＲＯＭ
３０３  ＲＡＭ
９０１  条件入力部
１４０１  電波伝搬シミュレーション部
２１０１  ＧＵＩ出力部
２１０２  ＧＵＩ入力部
２２０１  表示画面
２２０３  干渉影響計情報
２２０４  ＲＳＳＩ閾値
Ｐ  受信点
Ｒ  評価対象
ｒ（ｒ１、ｒ２)  対象信号
Ｘ  干渉源
ｘ（ｘｉ，ｘ１〜ｘｎ）  干渉信号
【図１】
2019012916.tif 000007
【図２】
2019012916.tif 000008
【図３】
2019012916.tif 000009
【図４】
2019012916.tif 000010
【図５】
2019012916.tif 000011
【図６】
2019012916.tif 000012
【図７】
2019012916.tif 000013
【図８】
2019012916.tif 000014
【図９】
2019012916.tif 000015
【図１０】
2019012916.tif 000016
【図１１】
2019012916.tif 000017
【図１２Ａ】
2019012916.tif 000018
【図１２Ｂ】
2019012916.tif 000019
【図１３】
2019012916.tif 000020
【図１４】
2019012916.tif 000021
【図１５】
2019012916.tif 000022
【図１６】
2019012916.tif 000023
【図１７】
2019012916.tif 000024
【図１８】
2019012916.tif 000025
【図１９】
2019012916.tif 000026
【図２０】
2019012916.tif 000027
【図２１】
2019012916.tif 000028
【図２２】
2019012916.tif 000029
【図２３】
2019012916.tif 000030
【図２４】
2019012916.tif 000031
【図２５】
2019012916.tif 000032
【図２６】
2019012916.tif 000033
【図２７】
2019012916.tif 000034
【図２８】
2019012916.tif 000035
【図２９Ａ】
2019012916.tif 000036
【図２９Ｂ】
2019012916.tif 000037
【図３０】
2019012916.tif 000038
【図３１】
2019012916.tif 000039
【図３２】
2019012916.tif 000040
【図３３Ａ】
2019012916.tif 000041
【図３３Ｂ】
2019012916.tif 000042